(57)【特許請求の範囲】
【請求項１】
ロングタームエボリューション（ＬＴＥ）ワイヤレス通信ネットワークにおいて情報を送信する方法であって、
ピアを探索しているユーザ機器（ＵＥ）の第１のＵＥロケーション情報を受信することと、
前記ピアのうちの少なくとも１つの、第２のＵＥロケーション情報を受信することと、
前記第１および第２のＵＥロケーション情報にしたがって、前記ピアのうち前記ＵＥに近接したピアをマッチングすることと、
前記ピアの存在について前記ＵＥにアラートするためにデータ交換効率技法を使用して送信することと、ここにおいて、前記送信は、広域ネットワーク（ＷＡＮ）固有のシグナリングを含み、前記データ交換効率技法は、前記ロケーション情報の変化のレートに基づいて選択される、
を備える、方法。
【請求項２】
前記送信のための前記データ交換効率技法は、ページングチャネルを使用すること、および半持続的スケジューリングを使用することから成るグループから選択される、請求項１に記載の方法。
【請求項３】
前記ＷＡＮ固有のシグナリングは、ユーザデータグラムプロトコル（ＵＤＰ）プロトコルの使用を含む、請求項１に記載の方法。
【請求項４】
前記データ交換効率技法は、ブロードキャストチャネルを使用することを含む、請求項１に記載の方法。
【請求項５】
前記ＷＡＮ固有のシグナリングは、ＬＴＥ非トラフィックチャネルを含む、請求項１に記載の方法。
【請求項６】
ロングタームエボリューション（ＬＴＥ）ワイヤレス通信ネットワークにおいてピア発見情報を交換する方法であって、
データ交換効率技法を使用して、ピアを探索しているＵＥによって、第１のユーザ機器（ＵＥ）ロケーション情報を１番目に送信することと、ここにおいて、前記１番目に送信することは、広域ネットワーク（ＷＡＮ）固有のシグナリングを含み、前記データ交換効率技法は、前記ロケーション情報の変化のレートに基づいて選択される、
前記データ交換効率技法を使用して、前記ピアのうちの少なくとも１つの、要求されたマッチングを、２番目に送信することと、ここにおいて、前記２番目に送信することは、前記広域ネットワーク（ＷＡＮ）固有のシグナリングを含む、
前記ピアの存在について前記ＵＥにアラートするために、前記要求に応答して、マッチングを受信すること
を備える、方法。
【請求項７】
前記データ交換効率技法は、ランダムアクセスチャネルを使用すること、および半持続的スケジューリングを使用することから成るグループから選択される、請求項６に記載の方法。
【請求項８】
前記半持続的スケジューリングは、周期的なサウンディング参照信号（ＳＲＳ）を用いた半持続的スケジューリングを含む、請求項７に記載の方法。
【請求項９】
前記ＷＡＮ固有のシグナリングは、ＵＤＰプロトコルの使用を含む、請求項６に記載の方法。
【請求項１０】
前記ＷＡＮ固有のシグナリングは、ＬＴＥ非トラフィックチャネルを含む、請求項６に記載の方法。
【請求項１１】
ロングタームエボリューション（ＬＴＥ）ワイヤレス通信ネットワークにおいてピア発見情報を送信するための基地局であって、
ピアを探索しているユーザ機器（ＵＥ）の第１のＵＥロケーション情報を受信するための手段と、
前記ピアのうちの少なくとも１つの、第２のＵＥロケーション情報を受信するための手段と、
前記ピアのうち前記第１および第２のＵＥロケーション情報に近接したピアをマッチングするための手段と、
前記ピアの存在について前記ＵＥにアラートするためにデータ交換効率技法を使用して送信するための手段と、ここにおいて、前記送信は、広域ネットワーク（ＷＡＮ）固有のシグナリングを含み、前記データ交換効率技法は、前記ロケーション情報の変化のレートに基づいて選択される、
を備える、基地局。
【請求項１２】
前記送信のための前記データ交換効率技法は、ページングチャネルを使用すること、および半持続的スケジューリングを使用することから成るグループから選択される、請求項１１に記載の基地局。
【請求項１３】
ロングタームエボリューション（ＬＴＥ）ワイヤレス通信ネットワークにおいてピア発見情報を交換するためのユーザ機器（ＵＥ）であって、
データ交換効率技法を使用して、ピアを探索している前記ＵＥによって、第１のＵＥロケーション情報を１番目に送信するための手段と、ここにおいて、前記１番目に送信することは、広域ネットワーク（ＷＡＮ）固有のシグナリングを含み、前記データ交換効率技法は、前記ロケーション情報の変化のレートに基づいて選択される、
前記データ交換効率技法を使用して、前記ピアのうちの少なくとも１つの、要求されたマッチングを、２番目に送信するための手段と、ここにおいて、前記２番目に送信することは、前記ＷＡＮ固有のシグナリングを含む、
前記ピアの存在について前記ＵＥにアラートするために、前記要求に応答して、マッチングを受信するための手段と
を備える、ＵＥ。
【請求項１４】
前記１番目に送信することおよび前記２番目に送信することのための前記データ交換効率技法は、ランダムアクセスチャネルを使用すること、および半持続的スケジューリングを使用することから成るグループから選択される、請求項１３に記載のＵＥ。
【請求項１５】
実行されたときに請求項１〜請求項１０のいずれか一項に記載の方法を少なくとも１つのコンピュータに実行させる、実行可能な命令を備えるコンピュータプログラム。
【発明の詳細な説明】
【技術分野】
【０００１】
[0001]   本開示は、一般に、通信に関し、より詳細には、ピア・ツー・ピア（Ｐ２Ｐ）通信をサポートするための技法に関する。
【背景技術】
【０００２】
[0002]   ワイヤレス通信ネットワークは、音声、ビデオ、パケットデータ、メッセージング、ブロードキャストなど、様々な通信コンテンツを提供するために広く展開されている。これらのワイヤレスネットワークは、利用可能なネットワークリソースを共有することによってマルチプルなユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。ワイヤレス通信ネットワークはまた、広域ネットワーク（ＷＡＮ）とも呼ばれうる。
【０００３】
[0003]   ワイヤレス通信ネットワークは、複数のデバイスのための通信をサポートすることができる複数の基地局を含みうる。デバイスは、ダウンリンクおよびアップリンクを介して基地局と通信しうる。ダウンリンク（または順方向リンク）は、基地局からデバイスへの通信リンクを指し、アップリンク（または逆方向リンク）は、デバイスから基地局への通信リンクを指す。デバイスはまた、他のデバイスとピア・ツー・ピア（Ｐ２Ｐ）で通信することができる。デバイス間でのＰ２Ｐ通信を効率的にサポートすることが望ましい。
【発明の概要】
【０００４】
[0004]   本開示は、ネットワークアシスト型のピア発見（network-assisted peer discovery）を実行するための技法を提供する。
【０００５】
[0005]   一実施形態では、ＬＴＥワイヤレス通信ネットワークにおいて情報を送信するための、装置、コンピュータプログラム、方法、およびシステムが提供される。このような実施形態では、基地局は、ピアを探索しているＵＥ（a UE seeking peers）の、第１のユーザ機器（ＵＥ）エクスプレッション（expression）および第１のＵＥロケーション情報を受信しうる。基地局はまた、ピアのうちの少なくとも１つの、第２のＵＥエクスプレッションおよび第２のＵＥロケーション情報を受信しうる。第１および第２のＵＥエクスプレッションならびに第１および第２のＵＥロケーション情報にしたがって、基地局は、ピアのうち、ＵＥに近接したピアをマッチングしうる。基地局は、ピアの存在についてＵＥにアラートするために、データ交換効率技法を使用して、情報を送信しうる。この送信は、広域ネットワーク（ＷＡＮ）固有のシグナリングを備えうる。
【０００６】
[0006]   基地局からの情報の送信のためのデータ交換効率技法は、ページングチャネルを使用すること、および半持続的スケジューリング（semi-persistent scheduling）を使用することのグループから選択されうる。基地局からの情報の送信はまた、ブロードキャストチャネルの使用を備えうる。ＷＡＮ固有のシグナリングは、ＵＤＰプロトコルの使用を含み得、それは、いくつかの通信レイヤ（例えば、ＭＡＣレイヤおよび下位レイヤシグナリング）のうちの１つにおいて使用されうる。
【０００７】
[0007]   別の実施形態では、ピアを探索している第１のＵＥは、その第１のＵＥエクスプレッションおよび第１のロケーションを送信しうる。第１のＵＥはまた、ピアのうちの少なくとも１つの第２のＵＥエクスプレッションの要求されたマッチングを送信しうる。第１のＵＥは、マッチングされた１つまたは複数のピアの存在について第１のＵＥにアラートするために、要求に応答してマッチングを受信しうる。
【０００８】
[0008]   基地局からの情報の受信のためのデータ交換効率技法は、ランダムアクセスチャネルを使用すること、および半持続的スケジューリングを使用することのグループから選択されうる。半持続的スケジューリングは、サウンディング参照信号（sounding reference signal）を用いたスケジューリングを備えうる。ＷＡＮ固有のシグナリングは、ＵＤＰプロトコルの使用を含み得、それは、いくつかの通信レイヤ（例えば、ＭＡＣレイヤおよび下位レイヤシグナリング）のうちの１つに使用されうる。
【図面の簡単な説明】
【０００９】
【図１】図１は、本開示の実施形態による、ＬＴＥネットワークまたは他のワイヤレスネットワークでありうる、ワイヤレス通信ネットワークを示す。
【図２】図２は、本開示の実施形態による、ネットワークアシスト型のピア発見のための、２つのデバイス、基地局、およびディレクトリエージェントの間の通信を示す。
【図３】図３は、本開示の実施形態による、ネットワークアシスト型のピア発見のためのメッセージフローを示す。
【図４】図４は、本開示の実施形態による、ネットワークアシスト型のピア発見を実行するためのプロセスを示す。
【図５】図５は、本開示の実施形態による、ネットワークアシスト型のピア発見をサポートするためのプロセスを示す。
【図６Ａ】図６Ａは、本開示の実施形態による、ＴＣＰセグメントフォーマットを図示する。
【図６Ｂ】図６Ｂは、本開示の実施形態による、ＵＤＰセグメントフォーマットを図示する。
【図７】図７は、本開示の実施形態による、半持続的スケジューリングの例を示す。
【図８Ａ】図８Ａは、本開示の実施形態による、ＵＥのブロック図を示す。
【図８Ｂ】図８Ｂは、本開示の実施形態による、基地局のブロック図を示す。
【図９Ａ】図９Ａは、本開示の実施形態による、ネットワークアシスト型のピア発見を実行するための、基地局などのネットワークエンティティによって動作可能な方法を示す。
【図９Ｂ】図９Ｂは、本開示の実施形態による、ネットワークアシスト型のピア発見を実行するための、基地局などのネットワークエンティティによって動作可能な方法を示す。
【図９Ｃ】図９Ｃは、本開示の実施形態による、ネットワークアシスト型のピア発見を実行するための、基地局などのネットワークエンティティによって動作可能な方法を示す。
【図９Ｄ】図９Ｄは、本開示の実施形態による、ネットワークアシスト型のピア発見を実行するための、基地局などのネットワークエンティティによって動作可能な方法を示す。
【図１０Ａ】図１０Ａは、本開示の実施形態による、ネットワークアシスト型のピア発見を実行するための、ＵＥなどのネットワークエンティティによって動作可能な方法を示す。
【図１０Ｂ】図１０Ｂは、本開示の実施形態による、ネットワークアシスト型のピア発見を実行するための、ＵＥなどのネットワークエンティティによって動作可能な方法を示す。
【図１０Ｃ】図１０Ｃは、本開示の実施形態による、ネットワークアシスト型のピア発見を実行するための、ＵＥなどのネットワークエンティティによって動作可能な方法を示す。
【図１０Ｄ】図１０Ｄは、本開示の実施形態による、ネットワークアシスト型のピア発見を実行するための、ＵＥなどのネットワークエンティティによって動作可能な方法を示す。
【図１１】図１１は、一実施形態においてネットワークエンティティとして構成されうる例示的な装置を示すブロック図である。
【図１２】図１２は、一実施形態においてネットワークエンティティとして構成されうる例示的な装置を示すブロック図である。
【発明を実施するための形態】
【００１０】
[0021]   本開示の図面および説明は、明快な理解のために関連のある要素を図示するように簡略化されている一方、明確化および簡潔化の目的で、典型的なテレコミュニケーション装置、システム、および方法に見られる他の要素を取り除いている。よって、当業者は、本開示を実装する際に、他の要素および／またはステップが望ましいおよび／または必要とされることを理解するだろう。しかしながら、このような要素およびステップは当該技術分野において既知であるので、またこれらが本発明のさらなる理解を容易にするわけではないので、このような要素およびステップに関する議論は、本明細書では行わない。とはいえ、本明細書の開示は、本開示を考慮すれば当業者には明らかであるまたは既知である、開示された要素およびステップに対しての全ての変形および修正形態を対象とする。
【００１１】
[0022]   本明細書で説明される技法は、ＣＤＭＡ、ＴＤＭＡ、ＦＤＭＡ、ＯＦＤＭＡ、ＳＣ−ＦＤＭＡ、および他のワイヤレスネットワークのような、様々なワイヤレス通信ネットワークに使用されうる。本明細書において、「ネットワーク」および「システム」という用語は、しばしば交換可能に使用される。例として、ＣＤＭＡネットワークは、ユニバーサル地上無線アクセス（ＵＴＲＡ）、ｃｄｍａ２０００などの無線技術を実装しうる。ＵＴＲＡは、広帯域ＣＤＭＡ（ＷＣＤＭＡ（登録商標））、時分割同期ＣＤＭＡ（ＴＤ−ＳＤＭＡ）、およびＣＤＭＡの他の変形を含む。ｃｄｍａ２０００は、ＩＳ−２０００規格、ＩＳ−９５規格、およびＩＳ−８５６規格をカバーする。ＴＤＭＡネットワークは、モバイル通信用グローバルシステム（ＧＳＭ（登録商標））のような無線技術を実装しうる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）などの無線技術を実装しうる。ＵＴＲＡおよびＥ−ＵＴＲＡは、ユニバーサルモバイルテレコミュニケーションシステム（ＵＭＴＳ）の一部である。周波数分割多重（ＦＤＤ）および時分割多重（ＴＤＤ）の両方において、３ＧＰＰロングタームエボリューション（ＬＴＥ）およびＬＴＥアドバンスト（ＬＴＥ-Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた団体からの文書の中で説明されている。ｃｄｍａ２０００およびＵＭＢは、「第３世代パートナーシッププロジェクト２」（３ＧＰＰ２）と名付けられた団体の文書の中で説明されている。本明細書で説明される技法は、上で述べられたワイヤレスネットワークおよび無線技術のために、並びに、他のワイヤレスネットワークおよび無線技術のために使用されうる。
【００１２】
[0023]   図１は、ＬＴＥネットワークまたは他のワイヤレスネットワーク（本明細書では、広域ネットワーク、またはＷＡＮ、あるいは単にネットワークとも呼ばれうる）でありうるワイヤレス通信ネットワーク１００を示す。ワイヤレス通信ネットワーク１００は、いくつかの基地局および他のネットワークエンティティを含みうる。簡略化のために、３つの基地局１１０ａ、１１０ｂ、１１０ｃ、１つのネットワークコントローラ１３０、およびディレクトリエージェント１４０のみが図１に示される。基地局は、デバイスと通信するエンティティであり得、また、例えば、ノードＢ、発展型ノードＢ（ｅＮＢ）、アクセスポイントとも呼ばれうる。各基地局１１０は、特定の地理的エリアに対して通信カバレッジを提供し、カバレッジエリア内に位置するデバイスのための通信をサポートしうる。ネットワーク容量を改善するために、基地局の全カバレッジエリアは、複数の（例えば、図では３つの）より小さいエリアに分割されうる。より小さいエリアの各々は、それぞれの基地局サブシステムによってサービスされうる。３ＧＰＰにおいて、「セル」という用語は、その用語が使用される状況に応じて、基地局のカバレッジエリアおよび／またはこのカバレッジエリアにサービスする基地局サブシステムのカバレッジエリアを指しうる。３ＧＰＰ２において、「セクタ」または「セルセクタ」という用語は、基地局のカバレッジエリアおよび／またはこのカバレッジエリアにサービスする基地局サブシステムのカバレッジエリアを指しうる。明確化のために、３ＧＰＰの「セル」の概念が、本明細書の説明で使用される。
【００１３】
[0024]   ＷＡＮ１００は、例えば、マクロ基地局、ピコ基地局、ホーム基地局、リレーなどの、異なるタイプの基地局を含む異種ネットワーク（ＨｅｔＮｅｔ）でありうる。例えば、基地局は、マクロセル、ピコセル、フェムトセル、および／またはその他のタイプのセルに通信カバレッジを提供しうる。マクロセルは、比較的大きい地理的エリア（例えば、半径数キロメートル）をカバーし、サービスに加入しているＵＥによる無制限のアクセスを可能にしうる。ピコセルは、比較的小さい地理的エリアをカバーし、サービスに加入しているＵＥによる無制限のアクセスを可能にしうる。フェムトセルは、比較的小さい地理的エリア（例えば、ホーム）をカバーし、このフェムトセルと関連のあるＵＥ（例えば、クローズド加入者グループ（ＣＳＧ）のＵＥ）による制限付きアクセスを可能にしうる。図１に示される例では、ＷＡＮ １００は、対応するマクロセルについて、マクロ基地局１１０ａ、１１０ｂ、および１１０ｃを含む。ＷＡＮ １００はまた、ピコセルのためのピコ基地局、および／またはフェムトセルのためのホーム基地局（図１には図示せず）を含みうる。
【００１４】
[0025]   ネットワークコントローラ１３０は、１つまたは複数の基地局に接続され、これらの基地局に調整（coordination）および制御を提供しうる。ネットワークコントローラ１３０は、単一のネットワークエンティティまたはネットワークエンティティの集合でありうる。ネットワークコントローラ１３０は、非限定的な例として、バックホールを介して基地局と通信しうる。基地局はまた、例えば、直接的に、あるいはワイヤレスまたはワイヤラインバックホールを介して間接的に、互いに通信しうる。
【００１５】
[0026]   ディレクトリエージェント１４０は、別個のネットワークエンティティであり得、ネットワークコントローラ１３０（図１に示されている）および／または他のネットワークエンティティに接続されうる。ディレクトリエージェント１４０はまた、基地局、もしくはネットワークコントローラ１３０、または他の何らかのネットワークエンティティ（図１には図示せず）の一部でありうる。ディレクトリエージェントはさらに、サーバ１４０ａを含むか、またはサーバ１４０ａと通信可能に関連付けられうる。ディレクトリエージェント１４０は、以下でさらに説明されるように、ユーザデバイスの特定の識別情報を提供することなどによって、デバイスによるピア発見をサポートしうる。ディレクトリエージェント１４０はまた、他の名前でも呼ばれうる。
【００１６】
[0027]   プロセッサ／コントローラ１９０は、ネットワークコントローラ１３０に関連付けられるか、またはネットワークコントローラ１３０の一部分を形成しうる。補足として、プロセッサ／コントローラは、サーバ１４０ａであるか、サーバ１４０ａの一部を形成するか、またはサーバ１４０ａとは別個のものであり得、また、ディレクトリエージェント１４０であるか、ディレクトリエージェント１４０の一部を形成するか、またはディレクトリエージェント１４０とは別個のものでありうる対応するメモリ１９２に関連づけられうる。プロセッサ／コントローラ１９０は、コンパレータ機能、評価機能、および同様の処理機能を含み、ディレクトリエージェント１４０内のメモリに記憶されるか、またはディレクトリエージェント１４０に関連付けられた情報に関連付けられうる。このように、プロセッサ／コントローラ１９０は、基地局１１０ａ内にあり得、本明細書で説明される処理および計算機能を提供しうる。
【００１７】
[0028]   デバイス１２０は、ワイヤレスネットワーク全体にわたって分散され、各デバイスは、固定式または移動式でありうる。デバイスは、ユーザ機器（ＵＥ）、ユーザデバイス、移動局、端末、アクセス端末、加入者ユニット、局などとも称されうる。デバイスは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレット、周辺機器デバイス（例えば、プリンタ）などでありうる。デバイスは、ワイヤレスネットワーク内の基地局と通信しうる。デバイスはまた、他のデバイスとピア・ツー・ピア（Ｐ２Ｐ）で通信しうる。図１に示される例では、ＵＥ １２０ｘおよび１２０ｙは、Ｐ２Ｐで通信し、残りのデバイス１２０は、基地局１１０ａ、１１０ｂ、１１０ｃと通信しうる。ＵＥ １２０ｘおよび１２０ｙはまた、例えば、Ｐ２Ｐ通信に関わっていないか、またはＰ２Ｐ通信と同時でないときには、基地局と通信することが可能である。Ｐ２Ｐ通信は、ＷＡＮネットワーク１００並びにコアネットワークの無線インターフェース上の輻輳を低減するために、データトラフィックをオフロード（offload）するために使用されうる。
【００１８】
[0029]   ＷＡＮ １００はまた、リレー１８０を含みうる。リレー１８０は、アップストリームエンティティ（例えば、基地局またはＵＥ）からデータ伝送を受信し、ダウンストリームエンティティ（例えば、ＵＥまたは基地局）にデータ伝送を送る、任意のエンティティであり得、通常は修正することなくデータを中継する。リレーは、他のＵＥのために伝送を中継するＵＥ、伝送を中継する基地局、または他の任意の独立したリレーデバイスまたはノードでありうる。当業者は、本明細書で説明されるネットワーク、セル、およびシステム全体にわたってリレーが含まれうることを理解するだろう。
【００１９】
[0030]   本明細書の説明において、ＷＡＮ通信は、基地局を介した、ＵＥと、別のＵＥなどのリモートエンティティとの間の呼（call）についてのような、ＵＥと基地局との間の通信を指す。したがって、本明細書で使用されるＷＡＮリンクおよびそれらの変形は、ＵＥと基地局との間の通信リンクを指す。対照的に、本明細書で使用されるＰ２Ｐ通信は、２つ以上のＵＥ間のダイレクトな通信（direct communication）を指し、ここで、ダイレクトな通信は通常、基地局を通ることなく生じる。したがって、Ｐ２Ｐリンクまたはそれらの変形は、Ｐ２Ｐ通信に関与している２つ以上のＵＥ間の通常はダイレクトな通信リンクを指す。それに応じて、ＷＡＮ ＵＥは、ＷＡＮ通信に関心のあるまたは関与しているＵＥであり、Ｐ２Ｐ ＵＥは、Ｐ２Ｐ通信に関心のあるまたは関与しているＵＥである。
【００２０】
[0031]   Ｐ２Ｐグループは、Ｐ２Ｐ通信に関与している２つ以上のＵＥのグループを指す。一設計では、Ｐ２Ｐグループ内の１つのＵＥは、Ｐ２Ｐサーバ（またはＰ２Ｐグループオーナー）として指定され、Ｐ２Ｐグループ内の残りの各ＵＥは、Ｐ２Ｐクライアントとして指定されうる。Ｐ２Ｐサーバは、ＷＡＮを用いてシグナリングを交換すること、Ｐ２Ｐサーバと（１つまたは複数の）Ｐ２Ｐクライアントとの間のデータ伝送を調整することなど、特定の管理機能を実行しうる。
【００２１】
[0032]   Ｐ２Ｐ通信における１つの課題は、例えば無線周波数（ＲＦ）範囲内など、特定の範囲内での、関心のあるピアデバイスの発見／検出である。ピア・ツー・ピアで通信することができるデバイスおよび／またはピア・ツー・ピアで通信することを望むデバイスは、自律的に（autonomously）ピア発見を実行しうる。自律的な（autonomous）ピア発見について、デバイスは、時々（例えば定期的に）、その存在を知らせるために、および他のデバイスがそのデバイスを検出することを可能にするために、近接検知信号（ＰＤＳ：proximity detection signal）を送信しうる。代替的にまたは追加的に、デバイスは、それらの他のデバイスによって送信される近接検知信号に基づいて、その近接範囲の近くにある他のデバイスを検出しうる。ＰＤＳはまた、ピア検出信号、ピア発見信号などと呼ばれうる。ＰＤＳは、パイロットを備え、近接検知信号の送信機に関する識別情報および／または他の情報を搬送しうる。パイロットは、送信機および受信機によってアプリオリ（a priori）に知られている信号であり、例えば、参照信号またはプリアンブルとも呼ばれうる。
【００２２】
[0033]   例えば、デバイスのグループ内の各デバイスは、ＰＤＳを送信し、またグループ内の他のデバイスからのＰＤＳを検出しうる。各デバイスは、（ｉ）デバイスがその近接検知信号を送信する送信状態と、（ｉｉ）デバイスが他のデバイスからの近接検知信号を検出するリッスン（listen）／受信状態との間を交互に入れ替わりうる。別の設計では、デバイスのグループ内の１つのデバイスが、ＰＤＳを送信することを要求され、グループ内の全ての他のデバイスが、ＰＤＳを検出することを要求されうる。
【００２３】
[0034]   一般に、ピア発見の目標は、エネルギー効率を維持しながら、ピア検出の確率を最大にすることである。例えば、デバイスは、そのデバイスとの通信に関心のある、またはそのデバイスとの通信に利用可能な他のデバイスがないときでさえ、自律的ピア発見を実行する際に、時々、ＰＤＳを送信および／または受信しうる。これは、デバイスによる大幅なバッテリ電力消費を引き起こし、それは、デバイスの待機バッテリ寿命を低下させうる。
【００２４】
[0035]   一態様では、ネットワークアシスト型のピア発見は、効率を上げるために、例えば、ピア発見の時間を減らすことによってバッテリ寿命を向上させることによって、ピア発見を実行するデバイスを支援するために使用されうる。ネットワークアシスト型のピア発見についての一設計において、デバイスは、デバイスの存在および場合によってはデバイスに関する他の情報がネットワークエンティティに対して知らされうるように、ネットワークエンティティ（例えば、ディレクトリエージェント１４０、および／または通信可能に関連付けられた基地局１１０ａ）に登録しうる。ネットワークエンティティは、他のデバイスから同様の情報を収集しうる。よって、ネットワークエンティティは、Ｐ２Ｐ通信のためにそのデバイスに関心のあるデバイス（例えば、「バディリスト（buddy list）」）がそのデバイスの近傍範囲内にありうるときに、そのデバイス（および他のデバイス）に知らせうる。デバイスは、次いで、特定の間隔で自律的にピア発見をコンスタントに実行する代わりに、ネットワークエンティティによって提供された情報の結果としてピアを発見し、それは、ピア発見のための電力消費を低減し、デバイスのバッテリ寿命を引き伸ばし、また他の利益をもたらしうる。
【００２５】
[0036]   より具体的には、ネットワークアシスト型のピア発見において、ＵＥは、ネットワークアシスト型のピア発見が生じることを可能にするために、ＷＡＮアップリンクチャネルおよびプロトコルを使用して、エクスプレッション（ＵＥのロケーションを含みうる）を送信しうる。同様に、ＵＥは、およびネットワークアシスト型のピア発見のために、ＷＡＮダウンリンクチャネルおよびプロトコルを介して、ピア発見情報を受信しうる。基地局１１０ａ（例えば、ディレクトリエージェント（ＤＡ）１４０、および／またはディレクトリエージェント１４０に関連付けられたサーバ１４０ａに関連付けられた、基地局など、以下では集合的に「ＤＡ １１０ａを有する基地局」とも呼ぶ）は、特定のＵＥのバディリストを知っており、それは、特定のＵＥのエクスプレッションを、それが全てのアップリンク送信のセットを介して他のＵＥから受信するエクスプレッションとをマッチングし、よって、特定のＵＥによって送信されたエクスプレッション内の情報に基づいて、特定のＵＥに対して関心のある他のＵＥのエクスプレッションのみを、特定のＵＥにダウンロードしうる。その結果、少なくとも、ＵＥがオンライン状態にとどまり、関心のないモバイルから来るピア発見信号をリッスンする必要がないので、ＵＥのスタンバイ時間は、増加する。
【００２６】
[0037]   図２は、ネットワークアシスト型のピア発見のための、例えば、ＤＡを有する基地局１１０ａを介する、２つのＵＥ １２０ｘおよび１２０ｙとディレクトリエージェント１４０との間の通信を示す。ＵＥ １２０ｘおよび１２０ｙは、ネットワークアシスト型のピア発見のために、同じ基地局１１０ａを介して、または異なる基地局を介して、ディレクトリエージェント１４０と通信しうる。ＵＥ １２０ｘおよび１２０ｙは、また、ＷＡＮ通信のために、そしてまたＰ２Ｐ通信のスケジューリングのために、基地局１１０ａと通信しうる。ＵＥ １２０ｘおよび１２０ｙは、ピア発見のために近接検知信号（エクスプレッションとも呼ばれる）を送信および受信し、またＰ２Ｐで通信しうる。基地局１１０ａは、デバイス１２０ｘおよび／または１２０ｙのサービング基地局でありうる。ディレクトリエージェント１４０は、デバイス１２０ｘおよび１２０ｙがピア発見するのをアシストしうる。
【００２７】
[0038]   当業者は、ネットワーク１００内で動作する多くのＵＥ １２０ｘ、１２０ｙ・・・１２０ｎがありうることを理解するだろう。例えば、ソーシャルネットワーキングアプリケーションなどの多くのアプリケーションにおいて、ＵＥ １２０ｘは、ＵＥ １２０ｙなど、ＵＥ １２０ｘに近接する他のＵＥをそこから発見することを望む、バディリストを有しうる。これを受けて、ＵＥ １２０ｘは、上記で説明されたピア発見信号をブロードキャストおよび受信し、ネットワーク１００の１つまたは複数のコンポーネント（ＤＡを有する基地局１１０ａなど）に登録し、そこから他のＵＥの登録を受信し、当業者に知られている他のいずれかの方法で、ＵＥ １２０ｘに近接する他の既知のＵＥを探索しうる。
【００２８】
[0039]   一態様では、上記および本明細書において「登録（registration）」（およびそれらの変形）と呼ばれるが、ＵＥは、非ピアネットワークコンポーネントに登録しうる。この場合、ＵＥ １２０ｘは、ディレクトリエージェント１４０（または、他の何らかの指定されたネットワークエンティティ）に自身を登録しうる。例えば、ＵＥ １２０ｘは、ＷＡＮカバレッジに入ると、たとえば、ワイヤレスネットワーク１００においてマクロセルを検出すると、ＤＡを有する基地局１１０ａを介して、ディレクトリエージェント１４０に登録しうる。ＵＥ １２０ｘはまた、１つまたは複数のサービスを要求し、それが提供するように構成された１つまたは複数のサービスをアドバタイズ（advertise）し、ＵＥ １２０ｘの近傍の近くにあるピアデバイスにクエリする（query）などのために、ディレクトリエージェント１４０に登録しうる。ディレクトリエージェント１４０は、このような実施形態において基地局１１０ａに通信可能に関連付けられており、すなわち、ディレクトリエージェント１４０は、ワイヤレスネットワーク１００の一部であるか、またはワイヤレスネットワーク１００の一部ではない場合がある。
【００２９】
[0040]   ＵＥ １２０ｘは、登録の一部として関連情報をディレクトリエージェント１４０に提供しうる。一設計では、ＵＥ １２０ｘは、ＵＥ １２０ｘを識別する識別情報、および／または、ＵＥ １２０ｘによって提示および／または要求された１つまたは複数のサービスを識別するサービス情報、および／または、デバイス１２０ｘのためのロケーション情報などを提供しうる。識別情報は、ＵＥ １２０ｘに対して一意（unique）である、デバイスアイデンティティ（ＩＤ）、または「エクスプレッション」を含みうる。エクスプレッションは、十分に高い確率の一意性を確保するために、適切な長さ（例えば、１２ビットまたは他の何らかのビット数）を有しうる。サービス情報は、ＵＥ １２０ｘによって提示された１つまたは複数のサービスおよび／またはＵＥ １２０ｘによって要求された１つまたは複数のサービスについての、１つまたは複数のサービスＩＤを含みうる。いくつものサービスが定義され／サポートされ得、各サービスは、そのサービスを識別するために異なるサービスＩＤを割り当てられうる。関連するサービスのグループがまた定義され、サービスＩＤを割り当てられうる。サービスＩＤは、前述のエクスプレッションであり得、前述のエクスプレッションの一部を形成し得、または前述のエクスプレッションとは異なるものであり得、サービス、サービスのグループ、または全てのサービスを一意に識別できる、適切な長さ（例えば１２ビットまたは他の何らかのビット数）のストリングまたはインデックスでありうる。ロケーション情報は、少なくとも、おおよそのＵＥ １２０ｘの地理的ロケーションを提供することができ、前述のエクスプレッションであり得、前述のエクスプレッションの一部を形成し得、または前述のエクスプレッションとは異なるものでありうる。例えば、ロケーション情報は、ＵＥ １２０ｘの粗い（coarse）ロケーションとしてＵＥ １２０ｘのサービング基地局のロケーションまたはＵＥ １２０ｘの追跡エリアを提供しうる。ロケーション情報はまた、ＵＥ １２０ｘついての精確なロケーション推定を提供し、それは、全地球測位システム（ＧＰＳ）などの、グローバルナビゲーション衛星システム（ＧＮＳＳ）に基づいて取得されうる。
【００３０】
[0041]   この設計において、前述の登録の追加として、または代替として、ピアＵＥ １２０ｘおよび１２０ｙは、同期されたＰ２Ｐ発見に関与しており、本明細書では概して「ダイレクトなピア発見（direct peer discovery）」（または、例えばリレー１８０を介するなど、それらの変形）と呼ばれる。ダイレクトなピア発見において、ピアは、例えば、割り当てられたピア発見リソース（例えば、ＬＴＥサブフレームの指定された（１つまたは複数の）リソースブロック、あるいは（１つまたは複数の）リソースブロックの一部分）を使用するなどして、互いを発見するために直接的に通信しうる。ダイレクトなピア発見は通常、ディレクトリエージェント１４０において情報の支援なしに生じうる。
【００３１】
[0042]   図３は、ネットワークアシスト型のピア発見のための処理３００のフロー図を示す。ＵＥ １２０ｘは、何らかのトリガに基づいて、それ自体をＤＡを有する基地局１１０ａ（または、他の何らかの指定されたネットワークエンティティ）に登録しうる（ステップ３０１）。ＵＥ １２０ｘは、ＷＡＮカバレッジに入ると、例えば、ワイヤレスネットワーク１００においてマクロセルを検出すると、ディレクトリエージェント１４０に登録しうる。ＵＥ １２０ｘはまた、例えば、１つまたは複数のサービスを要求し、１つまたは複数のサービスをアドバタイズし、ＵＥ １２０ｘの近傍の近くにあるピアデバイスにクエリするために、ディレクトリエージェント１４０に登録しうる。ディレクトリエージェント１４０は、ワイヤレス通信ネットワーク１００の一部であるか、またはワイヤレス通信ネットワーク１００の一部ではない。
【００３２】
[0043]   ＵＥ １２０ｘは、そのサービスをアドバタイズするためおよび／またはサービスを取得するために、このＰ２Ｐ登録を実行しうる。さらに、一設計では、ＵＥ １２０ｘは、Ｐ２Ｐ登録の時にＰ２Ｐ要求を送りうる（ステップ３０２）。Ｐ２Ｐ要求は、ＵＥ １２０ｘによって提示された１つまたは複数のサービスおよび／またはＵＥ １２０ｘによって要求された１つまたは複数のサービスを指示しうる。例えば、ＵＥ １２０ｘは、特定のＰ２Ｐゲーム用アプリケーションを実行し、特定のゲームについてのパートナーを探すという望みを示すＰ２Ｐ要求を送りうる。Ｐ２Ｐ要求はまた、ワイルドカードの（wildcard）サービスに関するものであり得、それは、ＵＥ １２０ｘが利用可能なすべてのサービスをサーチしていることを意味しうる。
【００３３】
[0044]   一設計では、ＵＥ １２０ｘは、Ｐ２Ｐ登録の後にはいつでも既存のＰ２Ｐ要求をアップデートするか、または新規のＰ２Ｐ要求を提示しうる。アップデートされたＰ２Ｐ要求は、例えば、ＵＥ １２０ｘの動作ステータスの変化、デバイス１２０ｘの地理的なロケーションの変化、ＵＥ １２０ｘのバッテリステータスの変化など、様々な理由に起因して送られうる。例えば、バッテリステータスの変化は、ＵＥ １２０ｘが、前にアドバタイズされた特定のサービスを提示すること、および／または前に要求された特定のサービスを取得することを妨げうる。
【００３４】
[0045]   一般に、Ｐ２Ｐ要求は、ＵＥ １２０ｘによって明示的に送られうるか、または暗黙的であり送られない場合がある。Ｐ２Ｐ要求はまた、一時的（transient）要求または持続的（persistent）要求でありうる。一時的要求は、予め定められた時間期間について有効であり得、それは通常、短い期間でありうる。持続的要求は、延長された時間期間について有効でありうるか、または、要求側のデバイスによって明示的にキャンセルされるかまたは何らかのトリガに起因してディレクトリエージェント１４０によって削除されるまで無期限でありうる。一設計においてＰ２Ｐ要求は、Ｐ２Ｐ要求が有効である時間期間に関連付けられ、この時間期間の後に破棄されうる。
【００３５】
[0046]   ＤＡを有する基地局１１０ａは、ステップ３０２、３０２ａ、および３０２ｂを実行するデバイスから受信した情報などに基づいて、デバイスのＰ２Ｐ登録を行うことができ、これらのデバイスからのアクティブなＰ２Ｐ要求のリストを維持しうる。ＤＡを有する基地局１１０ａは、要求のマッチング（matching）を実行し、異なるデバイスからのＰ２Ｐ要求を調査し、またマッチするＰ２Ｐ要求を有するデバイスを識別しうる（ステップ３０３）。マッチングは、提示されているサービス、要求されているサービス、デバイスの機能、デバイスのロケーション、バディリストに含まれるものなど、様々な基準に基づいて実行されうる。例えば、マッチングは、ＵＥ １２０ｙによって要求されたサービスを提示するＵＥ １２０ｘ（またはその逆）に起因して、ＵＥ １２０ｘと１２０ｙとの間で宣言されうる。マッチングはまた、２つのデバイスが互いのＲＦ範囲内にあることを必要とすることがあり、それは、Ｐ２Ｐ登録中にデバイスによって提供されるロケーション情報に基づいて決定されうる。
【００３６】
[0047]   より具体的には、一態様では、ＵＥ １２０ｘのユーザは、ＤＡを有する基地局１１０ａなどに、Ｐ２Ｐ通信についてＵＥ １２０ｘに特に関心のあるＵＥ（および／またはＵＥのＰ２Ｐサービス）の予め定められたリスト（すなわち、バディリスト）を含む、ピア発見情報を提供しうる（ステップ３０２ａ）。具体的には、このような実施形態では、ＵＥ １２０ｘは、そのピア発見信号、ならびに、非限定的な例として、バディリスト、ステータス、ロケーションなどを備える、そのエクスプレッションを送信しうる。この情報は、ＤＡを有する基地局１１０ａによって受信するためだけでなく、他のＵＥによって追加的に受信するために、送信され／ブロードキャストされうる。しかしながら、上記で説明されたダイレクトなピア発見モデルにおいて、発見プロトコルの分散型の（distributed）性質は、ピア発見における基準サーチ（デバイスがバディリスト上にあるかどうかなど）のために使用されるべき多量の送信された／受信されたシグナリングメッセージを示しうる。より大きなモバイルネットワークでは、Ｐ２Ｐシグナリングメッセージのためのこれら多くのデータ量は、不必要なおよび／または関心のない多量のピアシグナリングメッセージトラフィックの処理に際して、ＵＥ １２０ｘに、そのバッテリ寿命、帯域幅、および計算能力を浪費させる。
【００３７】
[0048]   しかしながら、ピア発見シグナリングが（またはピア発見シグナリングも）ネットワークエンティティによる受信のためにブロードキャスト／送信される実施形態では、ピア発見シグナリング（すなわち、エクスプレッション、ロケーション情報）は、ディレクトリエージェント１４０および基地局１１０ａに関連付けられたサーバ１４０ａにＷＡＮアップリンクチャネルを使用して、ステップ３０２ａにおいてＵＥ １２０ｘによって送信されうる。サーバ１４０ａは、ディレクトリエージェント１４０および／または基地局１１０ａであるか、またはそれらの一部であり、よって、上記のように、それらのエレメントとともに本明細書では集合的に、ＤＡを有する基地局１１０ａと呼ばれうる。ＤＡを有する基地局１１０ａ（したがってサーバ１４０ａ）は、当業者に既知の任意のサーバのタイプでありうる。ＤＡを有する基地局１１０ａが各ＵＥのバディリストを知っているので、サーバ１４０ａは、所与のＵＥ １２０ｘの受信されたエクスプレッションをすべてのアップリンク送信のセットから受信されたエクスプレッションとマッチングし、続いて、ＵＥ １２０ｘに関心のある他のＵＥのエクスプレッションのみ、および／またはそのようなエクスプレッションのインジケーションもしくはアラートを、ＵＥ １２０ｘにダウンリンクしうる。有利なことに、このようなネットワークアシスト型のピア発見により、ＵＥ １２０ｘは、その多くがＵＥ１２０ｘのユーザに関心のない、全ての近接ＵＥから来るピア発見信号をリッスンする必要がない。したがって、ＵＥ １２０ｘのスタンバイ時間が増加し、また結果として、そのバッテリ寿命が節約（conserve）される。
【００３８】
[0049]   ＵＥ １２０ｘのバディリストについてマッチングが見つかった場合、ＤＡを有する基地局１１０ａは、ＵＥ １２０ｘによって受信されるべきマッチングの通知（および／またはマッチングから受信されたピア発見情報）を送りうる（ステップ３０４）。もちろん、ＤＡを有する基地局１１０ａはまた、ＵＥ １２０ｙに通知することができ、それは、ディレクトリエージェント１４０とのＰ２Ｐ登録をより早く実行しており、またＵＥ １２０ｘとのＰ２Ｐ通信ついてのマッチングの一部分でありうる。このマッチング通知は、例えば、ダイレクトなピア発見を開始すること、またはＰ２Ｐ通信を始めることを、ＵＥ １２０ｘおよびＵＥ １２０ｙに知らせうる。
【００３９】
[0050]   よって、ＵＥ １２０ｘ（および、前述の例ではＵＥ １２０ｙ）は、ＤＡを有する基地局１１０ａからマッチング通知を受信することに応答して、ダイレクトなピア発見を実行しうる（ステップ３０５）。ダイレクトなピア発見は、マッチングされた２つ以上のデバイスが、ワイヤレスネットワークを含まずにダイレクトなデータ接続を確立するために、十分にＲＦ近接範囲にあるかどうかを決定するために実行されうる（ステップ３０６）。もちろん、この近接情報は、代替的に、ステップ３０４においてＤＡを有する基地局１１０ａからＵＥ １２０ｘによって受信された通信に含まれることもでき、またはその通信に基づいて許容可能なものとして黙示されうる。当業者は、Ｐ２Ｐ通信が望まれない場合でも、ＲＦ近接の検出が他の目的のために有用でありうることを理解するだろう。
【００４０】
[0051]   図４は、ネットワークアシスト型のピア発見技法４００における（１つまたは複数の）ネットワークエンティティによって実行される例示的なステップを詳細に示す。この設計では、ＤＡを有する基地局１１０ａは、少なくとも１つのＵＥ １２０ｘからエクスプレッションおよびバディリストを受信し、少なくとも２つのＵＥ １２０ｘ、１２０ｙからピア発見情報（エクスプレッションなど）を受信しうる（ステップ４０１ａおよび４０１ｂ）。ディレクトリエージェント１４０は、ＵＥ １２０ｘと１２０ｙとの間のマッチングに関して、ＤＡを有するサービング基地局１１０ａに通知するか、または通知を可能にするための情報を提供し、それによって基地局１１０ａがピア発見を実行する際にこれらのデバイスをアシストすることを可能にしうる（ステップ４０３）。基地局１１０ａは、（ｉ）どの特定のパイロットシーケンスをＰＤＳに使用すべきか、（ｉｉ）どのデバイスがＰＤＳを送信するべきか、およびどのデバイスが信号を受信するべきか、（ｉｉｉ）ＰＤＳを送信するために使用するべき時間および周波数リソース、（ｉｖ）ＰＤＳの送信電力レベル、および／または（ｖ）他のパラメータなど、ピア発見のために１つまたは複数のパラメータを決定することによってアシストしうる（ステップ４０２）。これらのパラメータは、より低い干渉がＰＤＳの検出で観測されうるように、ＵＥ １２０ｘおよび１２０ｙの長期的なチャネル品質を考慮することによって選択されることができ、それは、発見の範囲を増大させうる。
【００４１】
[0052]   例えば、ステップ４０３において、サービング基地局１１０ａ（または、他の何らかの指定されたネットワークエンティティ）は、ＵＥ １２０ｘおよび１２０ｙについて、Ｐ２Ｐ通信またはＷＡＮ通信を選択しうる。Ｐ２Ｐ通信は、ステップ４０１において基地局１１０ａによってネットワークアシスト型のピア発見のためのアップリンクにおいて受信され得る、ＵＥ １２０ｘまたは１２０ｙによって測定されたＰＤＳの信号強度が、ＵＥ１２０ｘと１２０ｙとの間のワイヤレスチャネルの品質が十分に良好であることを示す場合、たとえば、受信された信号強度が閾値を超える場合に、指示されうる。反対に、ＷＡＮ通信は、受信された信号強度が十分でない場合、たとえば、閾値を下回る場合に、ＵＥ １２０ｘおよび１２０ｙに対して指示されうる。一設計では、Ｐ２Ｐ通信が選択された場合でも、ステップ４０３においてＷＡＮ接続がＵＥ １２０ｘおよび１２０ｙのためにバックアップとして指示されうる。
【００４２】
[0053]   別の設計において、ＵＥ １２０ｘは、はじめに、その近傍にある他のデバイスを検出するためにダイレクトなピア発見を実行しうる。ＵＥ １２０ｘは、次いで、受信した信号強度、および、例えば検出された各デバイスのデバイスＩＤおよび／またはサービスＩＤを、Ｐ２Ｐ要求とともに、ＤＡを有する基地局１１０ａにレポートしうる。検出された各デバイスのデバイスＩＤおよび／またはサービスＩＤは、そのデバイスによって送信されたＰＤＳから取得されうる。検出された各デバイスのエクスプレッション（すなわち、ＩＤ）および信号強度は、ステップ４０４において、各デバイスに関連付けられたマッチング（すなわち、バディリストマッチング）を識別するために、ディレクトリエージェント１４０によって使用されうる。
【００４３】
[0054]   図５は、例示的なネットワークアシスト型のピア発見技法５００をさらに詳細に示す。簡略化の目的で、ＵＥ １２０ｘ、１２０ｙ、および１２０ｚの３つのＵＥ、およびＤＡを有する１つの基地局１１０ａが示される。この例において、実行されるピア発見は、ＵＥ １２０ｚの近傍におけるＵＥに関するものであるが、基地局１１０ａによって実行されるピア発見は、他のすべてのＵＥ（例えば、ＵＥ １２０ｘ、１２０ｙ、１２０ｚ）の近傍にあるＵＥに関するものでありうる。
【００４４】
[0055]   ＵＥ １２０ｚは、そのＰＤＳにおいてそのエクスプレッションを送信し、さらに、ＤＡを有する基地局１１０ａによる受信のために、そのバディリスト、ステータス、ロケーションなどを送信しうる（ステップ５０１）。ステップ５０３ａおよび５０３ｂにおいて、基地局１１０ａは、他のＵＥ（この例ではＵＥ １２０ｘおよび１２０ｙ）から送信されたＩＤ（およびピア発見情報）を受信しうる。ステップ５０５において、基地局１１０ａは、ネットワークアシスト型のピア発見を実行しうる。具体的には、基地局１１０ａは、これらのＵＥ １２０ｘおよび１２０ｙが、ＵＥ １２０ｚに対して関心を示すか、および／またはＵＥ １２０ｚの近傍にあるかどうかを決定するために、ＵＥ １２０および１２０ｙのＩＤおよびピア発見を分析しうる。このように、バディリストなどからのピア発見マッチングは、マッチングされたＵＥが互いの近傍にあるという制約を用いてなされうる。「近傍（vicinity）」は、アップリンクチャネルにおいて、または、他の既知の技法によって送信されたロケーション情報から決定されうる。
【００４５】
[0056]   ＵＥ １２０ｚの「近傍」は、ＤＡを有する基地局１１０ａへのバディリスト提供の一部を形成することなどによって、ＵＥ １２０ｚによって定義されうる。例えば、近傍は、ＵＥ １２０ｚからの特定の距離（例えば、１０マイル、２０マイルなど）の範囲内、ＵＥ １２０ｚが現在位置する同じ街の中、同じ州の中などに位置するＵＥを指しうる。この定義された近傍（本明細書において言及されるように、ＵＥ １２０ｚの送信されたピア発見情報に含まれうる）に基づいて、基地局１１０ａは、他のＵＥがＵＥ １２０ｚの定義された近傍にあるかどうか（ならびに／あるいは、ＵＥ １２０ｘおよび／または１２０ｙがＵＥ １２０ｚに関心のあるＵＥの、ＵＥ １２０ｚのバディリスト上にあるかどうか）を決定するために、受信したピア発見情報（他のＵＥ １２０ｘ、１２０ｙのロケーション情報を含みうる）を通してフィルタリングしうる。
【００４６】
[0057]   この例において、基地局１１０ａは、ＵＥ １２０ｘおよび１２０ｙの両方がＵＥ １２０ｚの定義された近傍にあるが、ＵＥ １２０ｙのみがＵＥ １２０ｚのバディリスト上にあることを決定し得る。したがって、ステップ５０７において、基地局１１０ａは、ＵＥ １２０ｚへ、ＵＥ １２０ｙのピア発見情報を送信し、それによって、近くのＵＥ １２０ｙの存在についてＵＥ １２０ｚにアラートし、および／または、ＵＥ １２０ｙおよび１２０ｚがダイレクトなピアの発見に作用することを指示しうる。したがって、ＵＥ １２０ｚは、全てのＵＥについてのすべてのピア発見情報に対してリッスンする必要がなく、ＵＥ １２０ｚの多くは、通信することに関心をもっていない（例えば、前述の例のＵＥ １２０ｘ）。
【００４７】
[0058]   本明細書で説明されるＵＥと基地局との間の通信は、「Ｕｄ」インターフェースと呼ばれうる。例えば、ステップ５０１、５０３ａ、５０３ｂ、および５０７（図５に関して説明された）において実施される情報の送信および受信は、Ｕｕインターフェースを介して実行されうる。Ｕｕインターフェースは、（ｉ）トラフィックデータを搬送するユーザプレーンについてのプロトコルスタック、および（ｉｉ）シグナリングを搬送する制御プレーンのためのプロトコルスタックを含みうる。Ｕｕインターフェースのためのユーザプレーンプロトコルスタックは、パケットデータコンバージェンスプロトコル（ＰＤＣＰ：Packet Data Convergence Protocol）、無線リンク制御（ＲＬＣ）、媒体アクセス制御（ＭＡＣ）、および物理レイヤ（ＰＨＹ）を含みうる。Ｕｕインターフェースのための制御プレーンプロトコルスタックは、無線リソース制御（ＲＲＣ）、ＰＤＣＰ、ＲＬＣ、ＭＡＣ、およびＰＨＹを含みうる。ＬＴＥにおけるＲＲＣ、ＰＤＣＰ、ＲＬＣ、およびＭＡＣについては、公表されており、また参照により本明細書の組み込まれる、３ＧＰＰ ＴＳ ３６．３３１、ＴＳ ３６．３２３、ＴＳ ３６．３２２、およびＴＳ ３６．３２１の文書においてそれぞれ説明されている。
【００４８】
[0059]   ネットワークアシスト型のピア発見は、本明細書で説明される理由のためにＵＥのリソースを節約しうるが、それにも関わらず、Ｕｕインターフェースの使用を通して深刻な非効率がもたらされうる。これは、送信制御プロトコル／インターネットプロトコル（ＴＣＰ／ＩＰ）を使用して情報が送信されるときに特に起こり得、これは典型的に、現在利用可能なネットワークアシスト型のピア発見の実施形態のケースと同様である。ＴＣＰ／ＩＰは、インターネットワーク異種システムのために開発された通信プロトコルである。例えば、ＴＣＰ／ＩＰは、インターネットの異種のノードとシステムとの間を相互接続し、それらの間のデータのデリバリを保証するためのプロトコルであり、ＴＣＰ／ＩＰは、それに対応して、ＷＡＮ１００などのＷＡＮのために現在許容される規格である。したがって、ＩＰは通常、ネットワークレイヤで用いられ、ＴＣＰは通常、トランスポートレイヤデータの配信が保証される、オープンシステム相互接続（ＯＳＩ）モデルのトランスポートレイヤで用いられる。ＯＳＩは、物理レイヤ（ＰＨＹ）（電気シグナリングおよび物理相互接続に関する）、ページングチャネル（ＰＨＣ）、アクセス（ＡＧＣＨ）およびランダムアクセス（ＲＡＣＨ）チャネル、ブロードキャストチャネル（ＢＲＣＨ）、同期チャネル（ＳＣＨ）（特に）などのネットワーク制御チャネルを含む、データリンクレイヤ（サブレイヤとして上述されたＭＡＣおよび論理リンク制御を備え、ポイント・ツー・ポイント送信を管理する）、ネットワークレイヤ（ＷＡＮアドレッシングに基づいてデータをルーティングし、注目すべき点である）、前述のトランスポートレイヤ、セッションレイヤ（通信セッションを管理する、すなわち、開始および停止する）、プレゼンテーションレイヤ（暗号化（decryption）およびデータ変換を管理する）、およびアプリケーションレイヤ（特定のアプリケーションベースのデータ交換を管理する）をさらに含む。
【００４９】
[0060]   ＴＣＰ／ＩＰは、特に、データが完全且つ無傷で到着することを保証するトランスポートおよびネットワークレイヤにおけるその典型的な機能を果たし、それによって前述の異種エンティティにわたっておよび／またはアプリケーションレイヤにおいて多様なアプリケーションにわたってデータがノーマライズされることを保証するために、他のデータトランスポート方法と比較したときに、通常、追加の時間、リソース、およびオーバーヘッドを必要とする。例えば、ＴＣＰは、ＭＡＣ／ＰＨＹレイヤ上の基地局によって設定されるべきトラフィックデータリンクを必要としうる。さらに、ＴＣＰは、「フロー制御（flow control）」を使用し、いつデータが再送される必要があり、および前に送ったパケットがうまく転送されるまで、データのフローを停止する必要があるかが決定される（このようなフロー制御は、衝突の防止となる）。フローが停止されると、データパケットは、パケット全体が完了し、受信したパケットが当初のものと一致するまで、再要求される。ＴＣＰはまた、誤り訂正のサービスを実行し、さらに、全てのパケットが受信側で受信されてから再構成されることを必要とする。上記の理由から、ＴＣＰ／ＩＰは、しばしば、送信されるデータが単純且つ簡潔であるアプリケーションにおいて、すなわち、データが無傷であり、完全であり、およびノーマライズ可能であるものとして確認される必要がないアプリケーションにおいて、非効率的な通信手段となる。
【００５０】
[0061]   ＴＣＰの一態様であるユーザデータグラムプロトコル（ＵＤＰ）は、ＴＣＰ通信に典型的な追加の制約を含まない。各プロトコルの相対的な複雑さを示す、ＴＣＰおよびＵＤＰセグメントフォーマットが、図６Ａおよび６Ｂにそれぞれ示される。簡潔に言えば、ＵＤＰは、通常、誤りのあるまたは欠落したパケットを送信する十分な時間または必要性がない実施形態では、単純にパケットを送信する。ＴＣＰとは異なり、ＵＤＰは、フロー制御を提供せず、また、データを送信する前に、受信者間での接続の確立を必要としない。さらに、ＵＤＰは、誤りチェックおよび誤り訂正が必要でないか、またはアプリケーションレイヤで実行されると仮定する。ＵＤＰのステートレス（stateless）な性質は、したがって、小さいデータの送信のために有用であり、またこれらの小さいデータの送信のためにより高速な処理時間を提供しうる。さらに、ＵＤＰの単純な性質により、それはしばしば、ＰＨＹおよび／またはＭＡＣレイヤにおけるデータ交換の好ましい方法となる。本明細書で言及されるように、ピア発見情報は、１２から７０ビット程度の情報のような、短く単純なデータバーストでありうる。
【００５１】
[0062]   さらに、ネットワークアシスト型のピア発見のための現在利用可能な設計、特に、ＬＴＥ ＷＡＮ １００においては、上述のピア発見情報の交換のための通信スケジューリングは、通常、完全に動的である。ＬＴＥサブフレームにおいて、動的スケジューリング（dynamic scheduling）は、各サブフレームの初期部分において、上述されたＲＬＣで用いられる。例えば、ダウンリンクに関して、リソースは常に、動的スケジューリングのために利用可能であるときに割り当てられる。また、アップリンクで送られたデータについて、ＵＥは、データがＵＥに到着するときはいつでも、送信機会を動的に要求する。よって、ダウンリンクにおいて送られたデータに関する、およびアップリンク送信機会に関する情報は、いつデータがＵＥに到着するかに関しての知識の不足を考慮するために動的でなければならず、よって、各サブフレームの始めにスケジューリングされる。
【００５２】
[0063]   しかしながら、動的スケジューリングは、主に、頻繁でなく、且つ帯域幅を消費するデータ送信には有用であり、また、頻繁であり、且つ小さいデータ交換（すなわち、一定間隔での小さいデータバースト）には、あまり適していない。より具体的には、データレートが非常に低い場合、動的スケジューリングに関するスケジューリングメッセージの相対的なオーバーヘッドは非常に高く、よって、非効率性がもたらされる。
【００５３】
[0064]   半持続的スケジューリング（semi-persistent scheduling）では、アップリンク送信またはダウンリンク送信の各々に必要とされるように動的にスケジューリングするのではなく、送信パターンが定義され、利用可能にされる。これは、スケジューリングオーバーヘッドを大幅に低減させる。さらに、半持続的にスケジューリングされたデータ専用のリソース（すなわち、サブフレームおよびリソースブロック）は、相対的な（comparative）オーバーヘッドに対するスケジューリングメッセージの影響をさらに最小限にするように、選択的に選ばれうる。ＬＴＥサブフレームに関する半持続的スケジューリングの使用が、図７に示される。半持続的スケジューリングは、サウンディング参照信号（ＳＲＳ）をさらに含みうる。ＳＲＳは、チャネル品質、チャネルコンシステンシー（channel consistency）、伝搬遅延などのチャネル通信遅延といった、成功した通信リンケージに関するファクタを測定する働きをしうる。
【００５４】
[0065]   ＤＡを有する基地局１１０ａ内で、またはＤＡを有する基地局１１０ａに関連して、コントローラ／プロセッサ１９０は、ピア発見をサポートするために様々な機能を果たしうる。コントローラ／プロセッサ１９０は、デバイスのためのＰ２Ｐ登録の固有の態様を実行し、デバイスからＰ２Ｐ要求を受信し、要求マッチングを実行し、マッチングされたデバイス（すべてディレクトリエージェント１４０およびサーバ１４０ａとして動作する、またはディレクトリエージェント１４０およびサーバ１４０ａとともに動作する）によるピア発見を開始するための通知を提供しうる。コントローラ／プロセッサ１９０はまた、本明細書で説明されるネットワークアシスト型のピア発見技法についての他の処理を実行しうる。メモリ１９２は、コントローラ／プロセッサ１９０による使用のために、ディレクトリエージェント１４０のための、ディレクトリエージェント１４０からの、またはディレクトリエージェント１４０内の、データおよびプログラムコードを記憶しうる。メモリ１９２は、ディレクトリエージェントに登録されているデバイスについての情報、デバイスからのＰ２Ｐ要求などを記憶しうる。
【００５５】
[0066]   図８Ａは、本開示による、Ｐ２Ｐ通信およびＷＡＮ通信が可能なＵＥ １２０ｘのブロック図を示す。ＵＥ １２０ｘ内で、受信機８１２は、非限定的な例として、Ｐ２Ｐ通信のために他のＵＥによって送信されたＰ２Ｐ信号、ピア発見信号（本明細書で説明される、エクスプレッション、ハッシュされたエクスプレッション（hashed expressions）、および／または時間変化したハッシュされたエクスプレッション）、ＷＡＮ通信のために基地局によって送信されたダウンリンク信号を受信しうる。送信機８１４は、非限定的な例として、Ｐ２Ｐ通信、ピア発見信号（本明細書で説明されるエクスプレッションを含む）、およびＷＡＮ通信のための基地局へのアップリンク信号に関して、他のＵＥにＰ２Ｐ信号を送信しうる。
【００５６】
[0067]   暗号化／暗号解読モジュール８１５は、セキュアなピア発見のために、例えば他のＵＥおよび／または関連付けられたリレー１８０ｘへといった送信機８１４による送信のために、ＵＥ １２０のエクスプレッションなどのＵＥ １２０ｘについての識別情報を、暗号化または符号化しうる。モジュール８１５はまた、例えば、（セキュアなピア発見のために、他のＵＥおよび／または関連付けられたリレー１８０から受信され得る）受信機８１２によって受信された他のＵＥのエクスプレッションなど、他のＵＥについての識別情報を暗号化または復号しうる。センシングモジュール８１６は、例えば、暗号解読されたピア発見信号を使用するなどして、他のＵＥの存在を検出することができ、基地局の存在を検出することができ、また検出されたＵＥについておよび基地局について、チャネル利得（channel gains）、受信電力などを測定しうる。本開示によれば、センシングモジュール８１６はさらに、ネットワークアシスト型のピア発見のために、ＤＡを有する基地局１１０ａからＷＡＮ送信を介して受信された、ピア発見情報、方向、およびまたは通信を、受信および認識しうる。
【００５７】
[0068]   効率モジュール８１７は、本明細書で説明されるデータ交換効率技法による、基地局１１０ａとのピア発見データ交換を指示しうる。効率モジュール８１７によって定められたデータ交換効率技法は、センシングモジュール８１６においてＵＥ １２０ｘによって受信されたデータに応答し得、および／または基地局１１０ａによって受信並びに処理され、センシングモジュール８１６による最終的な受信のために送信されたデータに応答しうる。
【００５８】
[0069]   マッチリスト（match list）決定モジュール８２０は、マッチリスト、具体的には、通信のために十分に近接するときなど、通信のために望まれるＵＥ、ＵＥ １２０ｘによって望まれるサービス、および／または通信のために利用可能であることが知られているＵＥ（例えば、センシングモジュール８１６により）、を決定しうる。マッチリスト決定モジュール８２０は、ＵＥ １２０ｘがそこからＵＥのリストを指示しうる、リスティングモジュールを含みうる。ネイバセット（neighbor set）決定モジュール８２２は、ＵＥ １２０ｘのアクティブなセット、ＵＥ １２０ｘと通信している他のＵＥのアクティブなセット、および／または（ＵＥ １２０ｘと）通信可能な基地局１１０ａに知られているＵＥに基づいて、（該当する場合）ＵＥ １２０ｘのネイバセットを決定しうる。レポーティングモジュール８１８は、例えば対応する基地局１１０ａおよび／または他のＵＥに対して、アクティブなセット、ネイバセット、ピア信号とピア強度、並びにチャネル利得を示す情報を送りうる。
【００５９】
[0070]   Ｐ２Ｐ通信モジュール８２４は、Ｐ２Ｐ通信をサポートすることができ、例えば、センシングモジュール８１６に対して応答可能であるような、Ｐ２Ｐ通信のために使用される信号を生成および処理しうる。ＷＡＮ通信モジュール８２６は、ＷＡＮ通信をサポートすることができ、例えば、ＷＡＮ通信のために使用される信号を生成および処理しうる。Ｐ２Ｐ通信モジュール８２４およびＷＡＮ通信モジュール８２６は、集合的に通信モジュール８３５と呼ばれうる。ＵＥ １２０ｘ内の様々なモジュールは、本明細書全体を通して説明されるように動作しうる。コントローラ／プロセッサ８２８は、ＵＥ １２０ｘ内の様々なモジュールの動作を指示しうる。メモリ８３０は、ＵＥ １２０ｘについてのデータおよびプログラムコードを記憶しうる。
【００６０】
[0071]   図８Ｂは、ＷＡＮ通信およびＰ２Ｐ通信のための少なくとも１つのピア発見をサポートする、ＤＡを有する基地局１１０ａのブロック図を示す。ＤＡを有する基地局１１０ａ内で、受信機８４３は、基地局１１０ａに対してＵＥによって送信されたアップリンク信号を受信しうる。送信機８４５は、ＵＥにダウンリンク信号を送信しうる。
【００６１】
[0072]   ピア発見コンピューティングモジュール８４７は、送信機８４５による送信のために、ピア発見情報などの情報を計算しうる。さらに、ピア発見エクスプレッションコンピューティングモジュール８４７は、本明細書で説明されるネットワークアシスト型のピア発見技法の実行を可能にするように、ピア発見情報（ピア発見情報の変化のレートなど）に基づいてデータを計算しうる。ネイバセット決定モジュール８４９は、例えば、基地局１１０ａと通信しているＵＥのアクティブなセットに基づいて、および隣接または関連基地局およびリレーに基づいて、ネイバセットを決定しうる。ネイバセット決定モジュール８４９はさらに、他のＵＥが特に通信を希望するＵＥのエクスプレッションの、受信したマッチリストを維持し、および存在についてピア発見コンピューティングモジュール８４７にクエリを行いうる。ディレクトリエージェント１４０は、このようなマッチリストを受信し、受信したエクスプレッションと比較し、および、マッチした場合には、効率モジュール８５３を含む様々な他のモジュールにアラートすることができる。
【００６２】
[0073]   マッチングした場合、効率モジュール８５３は、本明細書で説明されるデータ交換効率技法に従って、マッチングされたＵＥとのピア発見データ交換に関与しうる。効率モジュール８５３によって定められたデータ交換効率技法は、基地局１１０ａによって受信されたＵＥ関連データに応答し、およびまたはピア発見コンピューティングモジュール８４７によって算出されたデータに応答しうる。効率モジュール８５３は、受信機８４３を介するユニキャストまたはブロードキャスト送信などを通して、効率的なピア発見データ交換を指示しうる。
【００６３】
[0074]   ＤＡを有する基地局１１０ａは、他のリレーおよび／または基地局のような、他のネットワークエンティティと通信するために、バックホールモジュール８５１を用いることができる。センシングモジュール８５５は、ＵＥの存在を検出し、例えば、検出したＵＥのチャネル利得、受信電力などを測定しうる。通信モジュール８５７は、ＵＥについてのアップリンクおよびダウンリンク通信をサポートし、例えば、ＷＡＮ通信のために使用された信号を生成および処理しうる。基地局１１０ａ内の様々なモジュールが、本明細書に記載のように動作しうる。コントローラ／プロセッサ１９０は、基地局１１０ａ内の様々なモジュールの動作を指示しうる。コントローラ／プロセッサ１９０は、サーバ１４０ａによって提供された処理でありうるか、サーバ１４０ａによって提供された処理の一部分であるか、またはサーバ１４０ａによって提供された処理とは異なるものでありうる。メモリ１９２は、リレー１８０のためのデータおよびプログラムコードを記憶しうる。
【００６４】
[0075]   本明細書で説明される１つまたは複数の実施形態によれば、図９Ａを参照すると、ディレクトリエージェント１４０、サーバ１４０ａ、およびコントローラ／プロセッサ１９０（例えば、ノードＢ）と関連付けられている、ＤＡを有する基地局１１０ａのようなネットワークエンティティによって動作可能な、方法９００が示されている。図９のブロックに関連付けられた番号が、対応するステップが方法９００にしたがって実行されるべき特定の順序を意味するわけではないことに注意されたい。特に、図９Ａは、ネットワークアシスト型のピア発見の使用を通して追加のデータ交換効率を達成する、例示的な方法９００を説明する。
【００６５】
[0076]   図９Ａでは、ステップ９０１において、基地局１１０ｘは、ピアを探索している第１のＵＥ １２０ｘの、第１のＵＥエクスプレッションと第１のＵＥロケーション情報（または第１のＵＥロケーション情報を含む第１のＵＥエクスプレッション）を受信しうる。第１のＵＥエクスプレッションは、第１のＵＥについての「バディリスト」として上記で示された、第１のＵＥに関心のありうる他のＵＥの予め定められたリストを含みうる。ステップ９０３において、基地局１１０ｘは、例えばＵＥ １２０ｙのような少なくとも１つのピアの、少なくとも１つの第２のＵＥエクスプレッションおよび少なくとも１つの第２のＵＥロケーションを受信しうる。
【００６６】
[0077]   第１のおよび少なくとも第２のＵＥエクスプレッション、並びに、第１のおよび少なくとも第２のＵＥロケーション情報、第１のＵＥ １２０ｘのバディリスト、並びに／あるいは、ＵＥ １２０ｘおよび／または１２０ｙのピア発見データに関するデータ変化レートのような他の情報に基づいて、ステップ９０５において、基地局１１０ｘは、ピアのうち、ピアを探索している第１のＵＥ（ＵＥ １２０ｘ）に近接したピア（ＵＥ １２０ｙ）をマッチングしうる。同様に、双方向的（bilateral）な実施形態では、マッチングを発見すると、基地局１１０ｘは、マッチングが双方向的であるかどうか、すなわち、ＵＥ １２０ｘもまたＵＥ １２０ｙについてのバディリスト上にあるかどうかをチェックしうる。ステップ９０７において、ノードＢは、データ交換効率を改善するために、本明細書で説明される技法に従って、ピア・ツー・ピア接続を生じさせるなどのために、ＷＡＮ固有のシグナリング（すなわち、データ交換効率技法の実行）を使用して、ピアのうちのマッチングされたものに対して、ピアのうちのマッチングされたものに関連づけられた情報を送信しうる。例えば、ステップ９０７ａにおいて、基地局１１０ａは、マッチングされたＵＥ（ＵＥ １２０ｘと１２０ｙ）の間のＰ２Ｐ接続を生成するためのリソースの割当てを実行するために、本明細書で開示されるデータ交換効率技法を使用しうる。代替的に、基地局１１０ａは、ステップ９０７ｂにおいて本明細書で開示されるデータ交換効率技法を使用して、マッチングされたＵＥがＰ２Ｐ接続を生成するために以前に割り当てられたＰ２Ｐリソースを使用することを指示しうる。さらなる代替形態において、基地局１１０ａは、ステップ９０７ｂにおいて、本明細書で開示されるデータ交換効率技法を使用して、ＵＥ間のマッチングを示すことができ、その後、マッチングされたＵＥは、Ｐ２Ｐリソースを使用してＰ２Ｐ接続を生成することができる。
【００６７】
[0078]   データ交換効率技法の非限定的な例として、ステップ９０７は、ＤＡを有する基地局１１０ａと、ＵＥ １２０ｘおよび１２０ｙとの間のピア発見通信において、ＴＣＰ／ＩＰプロトコルの一般的な現在の使用ではなく、上述されたＵＤＰプロトコルの形態のＷＡＮシグナリングの使用を含みうる。さらに、ステップ９０７は、例えば、トランスポート、ＰＨＹ、またはＭＡＣレイヤのような、現在の使用で一般的ではないＯＳＩレイヤにおいて、ＵＤＰのような、より効率的なデータ交換技法の使用を指示しうる。さらに、ステップ９０７は、基地局１１０ａと、ＵＥ １２０ｘおよび１２０ｙとの間のピア発見通信について、通常用いられる動的スケジューリングではなく、半持続的スケジューリングを使用する（前述したＳＲＳのような誤りチェックサム（error check sum）を用いて、または用いずに）、改善されたデータ交換効率技法を採用しうる。さらに加えて、ステップ９０７は、通常使用されるトラフィック／ブロードキャストチャネルではなく、ページングチャネル（すなわち、ＬＴＥ非トラフィックチャネル）を使用して実行されうる。当業者は、本明細書の開示を踏まえれば、基地局１１０ｘとＵＥ １２０ｘおよび１２０ｙとの間の既知の相互作用が、本明細書を通してさらに説明されるように、ステップ９０１もまた前述の改善されたデータ交換効率技法のうちの１つまたは複数を使用して実行されることを同様に示しうることを理解するだろう。当業者は、本開示を踏まえれば、説明されたデータ交換効率技法が、本明細書で言及された、プロトコルタイプ、通信レイヤ、スケジューリング技法、および通信チャネルの任意の組み合わせで用いられうることを理解するだろう。
【００６８】
[0079]   一例として、ＤＡを有する基地局１１０ａは、ステップ９０５において、マッチングされたピアのエクスプレッションおよび／またはロケーション情報の変化の異なるレートに基づいて、データ交換効率技法の使用を用いることができる。したがって、基地局は、第１のＵＥエクスプレッションおよび／または第１のＵＥロケーション情報の変化レートを決定しうる。例えば、第１のＵＥエクスプレッションは、好ましくは、既知の暗号化技法などを使用する、暗号化を含み、公開鍵暗号化機能の変化レートは、ステップ９０７において、基地局１１０ａによるＰ２Ｐ通信を探索および開放するための命令の適時性、および／またはエクスプレッションのマッチングの十分な適時性を保証するために、特定のデータ交換効率技法が用いられることを示しうる。同様に、ＵＥ １２０ｙは、その伝搬遅延を考慮して、その変化レートが基地局１１０ａに対して特定のタイプのデータ交換効率技法を示すようなレートで移動しうる。すなわち、異なるデータ交換効率技法は、それぞれのＵＥの、またはそれぞれのＵＥのうちのマッチングされたものの、それぞれのエクスプレッションおよびロケーション情報の変化の異なるレートに関して、より有利でありうる（例えば、低減されたエネルギー消費、またはより高い接続可能性を提供することなどによって）。例えば、（１つまたは複数の）エクスプレッションの変化レートが相対的に低いとき（例えば、ＵＥのロケーションまたは暗号化が相対的に静的であるとき）には、ページングチャネルの使用が、より魅力的でありうる。一方、ＵＥおよび少なくとも１つの第２のＵＥエクスプレッションがより頻繁に変化するときには、半持続的なダウンリンクスケジューリングの使用が、より適切でありうる。このような決定は、例えば、ディレクトリエージェント１４０（および、それらに含まれるＰ２Ｐ／エクスプレッション情報）に呼応して動作する、基地局１１０ｘのプロセッサ／コントローラ１９０によってなされうる。もちろん、ディレクトリエージェント１４０は、コントローラ／プロセッサ１９０などに対して、様々な通信環境における有利なデータ交換効率技法を指示するために、インジケータテーブルなどの態様を含みうる。同様に、基地局１１０ａは、第１のＵＥエクスプレッションおよび／またはロケーション情報の変化の閾値レートを設定しうる。それによって、変化レートが閾値より大きいかまたは小さいかに基づいて、データ交換効率技法が選択されうる。
【００６９】
[0080]   図９Ｂに関して図示される、データ交換効率技法の具体的な例示では、ステップ９０７は、ステップ９０７ｃにおいて、基地局１１０ａからＵＥ １２０ｘおよび１２０ｙへの送信に関して、ＴＣＰ／ＩＰプロトコルではなく、ＷＡＮシグナリングのためのＵＤＰプロトコルの使用を含みうる。ステップ９０７におけるこのプロトコルの変更は、ＤＡを有する基地局１１０ａによって指示され、また、基地局１１０ａによってサービスされた１つまたは複数のＵＥとの通信リンクの強度の測定に基づいて、ＵＥのうちの１つまたは複数との通信および／またはサービスされるマルチプルなＵＥにわたる通信に関するオーバーヘッドによって、ＵＥ間の予測されるＰ２Ｐリンクの強度または品質によって、ならびに／あるいはＤＡを有する基地局１１０ａに通信可能に関連付けられたディレクトリエージェント１４０によって保有される他の情報によって、指示されうる。
【００７０】
[0081]   ステップ９０７ｄにおいて、基地局１１０ａは、１つまたは複数のＵＥ １２０ｘおよび１２０ｙと基地局１１０ａとの間のピア発見通信のために使用された通信レイヤを修正しうる。例えば、現在利用可能な実施形態が、ピア発見処理においてサードパーティアプリケーションを使用する範囲では、このような現在の実施形態は、ＵＥと基地局との間のピア発見通信のためにアプリケーションレイヤ（本明細書で説明される）を用いる。ＴＣＰプロトコルは、これらのおよび他の通信のためにアプリケーションレイヤによって使用される。対照的に、本開示は、非限定的な例として、トランスポート、ＰＨＹ、またはＭＡＣ通信レイヤのような、より効率的なデータ交換通信レイヤ（ＵＤＰプロトコルの形式のＷＡＮシグナリングの使用によって使用について有効となりうる）の使用を可能にする。
【００７１】
[0082]   図９Ｃに関して図示される、データ交換効率技法の具体的な別の例では、ステップ９０７は、ステップ９０７ｅにおいて、通信のスケジューリングのために、本明細書で説明される動的なスケジューリングではなく、半持続的なスケジューリング（例えば、ＬＴＥ規格において記載されるダウンリンクリソースの半持続的なスケジューリング）の使用を含みうる。ステップ９０７におけるこのスケジューリングの変更は、基地局１１０ａによって指示され、また、基地局１１０ａによってサービスされる１つまたは複数のＵＥとの通信リンクの強度の測定に基づいて、ＵＥのうちの１つまたは複数との通信および／またはサービスされるマルチプルなＵＥにわたる通信に関するオーバーヘッドによって、ならびに／あるいはＤＡを有する基地局１１０ａに通信可能に関連付けられたディレクトリエージェント１４０によって保有される他の情報によって、指示されうる。半持続的なスケジューリングは、マッチングされたエクスプレッションがより頻繁に変化する環境に非常に適している可能性がある。
【００７２】
[0083]   半持続的ダウンリンクスケジューリングを使用する非限定的な例として、基地局１１０ａは、ＵＥ １２０ｘがそのピア発見エクスプレッションを送信しうるリソースブロックにＵＥ １２０ｘを割り当てうる。一実施形態では、このスケジューリングの指令が行われると、それは、修正されないか、または特定のセッション中には修正されない。したがって、フルトラフィックデータリンクのセットアップのための付帯的オーバーヘッド（attendant overhead）は、回避される。このような実施形態では、追加の電力節約など、さらなる効率は、いくつかの連続的な機会（結果としてスタンバイ時間を増加させる）のための送信を、ＵＥが控える、および／またはＵＥがＤＡを有する基地局１１０ａによって控えることを指示される実施形態において、得られうる。基地局１１０ａはさらに、ステップ９０７ｆなどにおいて、ＵＥが予め定められた数の送信機会を利用することを控える場合、ＵＥ １２０ｘのための半持続的スケジューリングをディコンストラクト（deconstruct）しうる。
【００７３】
[0084]   図９Ｄに関して図示される、データ交換効率技法の別の具体的な例では、ステップ９０７は、ステップ９０７ｇにおいて、ピア発見通信のための選択されたチャネルの使用を含みうる。ステップ９０７におけるこのチャネル選択は、ＤＡを有する基地局１１０ａによって指示され、また、基地局１１０ａによってサービスされた１つまたは複数のＵＥとの通信リンクの強度の測定に基づいて、ＵＥのうちの１つまたは複数との通信および／またはサービスされるマルチプルなＵＥにわたる通信に関するオーバーヘッドによって、ならびに／あるいは基地局１１０ａに通信可能に関連付けられたディレクトリエージェント１４０によって保有される他の情報によって、指示されうる。
【００７４】
[0085]   例えば、ステップ９０７ｈにおいて、基地局１１０ａは、ピア発見情報変更のために（より具体的には、基地局１１０ａからＵＥ １２０ｘおよび１２０ｙへのピア発見情報の送信のために）、前述のページングチャネル（ＰＣＨ）（例えば、ＬＴＥ規格によって定義されたＬＴＥページングチャネル）の使用を指示しうる。この場合、バディリストについてのマッチングは、ＵＥ １２０ｘがアイドル状態である間にページング信号がＰＣＨ上で送信されるのと同じ方法で送信されうる。ＰＣＨの使用は、（１または複数の）マッチングの変化のレートが比較的低いとき、例えば、バディリストのＵＥが比較的静的であるときに、最も多く指示されうる（すなわち、送信されたマッチングリストは、ＵＥが関心があることを見出された全てのエクスプレッションのアグリゲーションでありうる）。
【００７５】
[0086]   しかしながら、少なくとも各ＵＥが適切な時間にリッスンするリソースブロックの専用のセットを有するという点で、ＰＣＨは、必然的にユニキャストの性質である。一方、前述のブロードキャストチャネル（ＢＲＣＨ）が使用される場合、全てのＵＥは、同時にＢＲＣＨをリッスンするために呼び起こされる（awakened）。したがって、ＢＲＣＨはまた、ピア発見をアシストするために、ステップ９０７ｈにおいて基地局１１０ａによって効率的に使用されうる。
【００７６】
[0087]   例えば、マッチング情報は、基地局１１０ａに対応するセルにおいて、すべてのＵＥによって受信されるコード化／暗号化された情報ブロードキャストとして、ＢＲＣＨ上で基地局１１０ａによって送信されうる。それによって、セル内の全てのＵＥは、マッチング情報を受信し、および復号しうるが、各ＵＥは、受信したグローバルマッチリストからそれ自体のユニークなマッチのみを暗号化することを一意的に可能にされうる。
【００７７】
[0088]   本明細書で説明される１つまたは複数の実施形態によれば、図１０Ａを参照すると、ＵＥ １２０ｘなどのネットワークエンティティによって動作可能である方法１０００が示される。図１０のブロックに関連付けられた番号が、方法１０００にしたがって対応するステップが実行されるべき特定の順序を意味しないことに注意されたい。具体的には、図１０Ａは、ネットワークアシスト型のピア発見の使用を通して追加のデータ交換効率を達成する、例示的な方法１０００を説明する。
【００７８】
[0089]   図１０Ａでは、ステップ１００１において、ＵＥ １２０ｘは、基地局１１０ａに対して、ピアを探索しているＵＥ １２０ｘの、第１のＵＥエクスプレッションおよび第１のＵＥロケーション情報（または第１のＵＥロケーション情報を含む第１のＵＥエクスプレッション）を送信しうる。ＵＥ １２０ｘは、データ交換効率を改善するために、本明細書で説明される技法を使用して、基地局１１０ａに対してエクスプレッションおよびロケーション情報を送信しうる。第１のＵＥエクスプレッションは、第１のＵＥについての「バディリスト」として上記で示された、第１のＵＥに関心のありうる他のＵＥの予め定められたマッチリストを含みうる。図１０には反映されていないが、ＵＥ １２０ｘの第１のＵＥエクスプレッションおよび／または第１のＵＥロケーション情報に加えて、基地局１１０ａがまた、ＵＥ １２０ｙなど、ピアのうちの少なくとも１つの、少なくとも１つの第２のＵＥエクスプレッションおよび少なくとも１つの第２のＵＥロケーション情報を受信しうることが、当業者には理解されよう。
【００７９】
[0090]   第１のおよび少なくとも第２のＵＥエクスプレッション、並びに、第１のおよび少なくとも第２のＵＥロケーション情報、第１のＵＥ １２０ｘのバディリスト、並びに／あるいは、ＵＥ １２０ｘおよび／または１２０ｙのピア発見データに関するデータ変化レートのような他の情報に基づいて、基地局１１０ａは、ピアのうち、ピアを探索している第１のＵＥ（ＵＥ １２０ｘ）に近接したピア（ＵＥ １２０ｙ）をマッチングし、ＵＥ １２０ｘによる受信のための対応するピア発見情報を送信しうる。同様に、双方向的な実施形態では、マッチを発見すると、基地局１１０ａは、そのマッチが双方向的であるかどうか、すなわち、ＵＥ １２０ｘもまたＵＥ １２０ｙについてのバディリスト上にあるかどうか、をチェックし、それに応じて送信しうる。よって、ステップ１００３において、ＵＥは、データ交換効率を改善するために本明細書で説明される技法にしたがって、Ｐ２Ｐ接続を生じさせるか、またはＰ２Ｐ接続が生じることを要求するなどのために、ピアのうちのマッチングされたピアに関連付けられうる、ピア発見情報を、例えばＷＡＮ固有シグナリング（すなわち、データ交換効率技法を実施するＷＡＮにわたるシグナリング）を介して、受信しうる。ステップ１００３におけるデータ効率交換技法を使用する情報の受信は、ＵＥ １２０ｘによって、または基地局１１０ａによって、指示／要求されうる。例えば、ステップ１００３ａにおいて、ＵＥ １２０ｘは、ＵＥ １２０ｘと任意のマッチングされたＵＥ（１２０ｙ）との間のＰ２Ｐ接続を生成するために、割り当てられたリソース情報を受信するために、本明細書で開示されるデータ交換効率技法を使用しうる。代替的に、ＵＥ １２０ｘは、ステップ１００３ｂにおいて、本明細書で開示されるデータ交換効率技法に応答して、Ｐ２Ｐ通信を生成するために以前に割り当てられたＰ２Ｐリソースを使用するためにマッチングされたＵＥ（ＵＥ １２０ｙ）と通信しうる。
【００８０】
[0091]   データ交換効率技法の非限定的な例として、ステップ１００３は、基地局１１０ａとＵＥ １２０ｘとの間のピア発見通信において、ＴＣＰ／ＩＰプロトコルの一般的な現在の使用ではなく、上述されたＵＤＰプロトコルの使用を含みうる。さらに、ステップ１００３は、トランスポート、ＰＨＹ、またはＭＡＣレイヤなど、現在の使用で一般的ではないＯＳＩレイヤにおいて、ＵＤＰなど、より効率的なデータ交換技法の使用を指示しうる。さらに、ステップ１００３は、基地局１１０ａとＵＥ１２０ｘとの間のピア発見通信について、通常用いられる動的スケジューリングではなく、半持続的スケジューリングを使用する（前述したＳＲＳのような誤りチェックサムを用いて、または用いずに）、改善されたデータ交換技法を採用しうる。さらに、ステップ１００３は、通常使用されるトラフィック／ブロードキャストチャネルではなく、異なる通信チャネル、すなわち、ＬＴＥ非トラフィックチャネルを使用して実行されうる。当業者は、本明細書の開示を踏まえれば、基地局１１０ａと、ＵＥ １２０ｘおよび１２０ｙとの間の既知の相互作用は、同様に、ステップ１００１がまた、本明細書全体を通してさらに説明されるように、前述の改善されたデータ交換効率技法のうちの１つまたは複数を使用して実行されることを示し得ることを理解するだろう。当業者は、本開示を踏まえれば、ここに説明されたデータ交換効率技法が、本明細書で言及された、プロトコルタイプ、通信レイヤ、スケジューリング技法、および通信チャネルのいずれかの組み合わせで用いられうることを理解するだろう。
【００８１】
[0092]   一例として、ＵＥ １２０ｘは、マッチングされたピアのエクスプレッションおよび／またはロケーション情報の異なる変化レートに基づいて、データ交換効率技法の使用を採用しうる。したがって、ＵＥ １２０ｘは、ＵＥ １２０ｙのＵＥエクスプレッションおよび／またはＵＥ １２０ｙのロケーション情報の変化レートを決定しうる。すなわち、異なるデータ交換効率技法は、それぞれのＵＥの、またはそれぞれのＵＥのうちのマッチングされたものの、それぞれのエクスプレッションおよびロケーション情報の異なる変化レートについて、より有利でありうる（例えば、低減されたエネルギー消費、またはより接続可能性を提供することなどによって）。このような決定および閾値は、例えばディレクトリエージェント１４０と協働する、基地局１１０ｘのプロセッサ／コントローラ１９０から受信されうるか、またはＵＥ １２０ｘによって生成されうる。同様に、ＵＥ １２０ｘは、その第１のＵＥエクスプレッションおよび／またはロケーション情報の変化の閾値レートを設定しうる。それによって、変化レートが閾値よりも大きいかまたは小さいかに基づいて、データ交換効率技法が選択されうる。
【００８２】
[0093]   図１０Ｂに関して図示される、データ交換効率技法の具体的な例示では、ステップ１００３は、ステップ１００３ｃにおいて、通信のために、ＴＣＰ／ＩＰプロトコルではなく、ＵＤＰプロトコルの使用を含みうる。ステップ１００３におけるこのプロトコル変更は、ＵＥ １２０ｘによって評価され、また、サービング基地局１１０ａとの通信リンクの強度または品質の測定に基づいて、サービング基地局１１０ａとの通信に関するオーバーヘッドによって、および／またはピアＵＥへの予測Ｐ２Ｐリンクの強度または品質の測定によって、指示されうる。
【００８３】
[0094]   ステップ１００３ｄにおいて、ＵＥ １２０ｘは、ＵＥ １２０ｘと基地局１１０ａとの間のピア発見通信のために使用される通信レイヤを修正しうる。例えば、現在の実施形態がピア発見プロセスにおいてサードパーティアプリケーションを使用する範囲では、このような現在の実施形態は、ＵＥと基地局との間のピア発見通信のためにアプリケーションレイヤ（本明細書で説明される）を用いる。ＴＣＰプロトコルは、これらのおよび他の通信のためにアプリケーションレイヤによって使用される。対照的に、本開示は、非限定的な例として、トランスポート、ＰＨＹ、またはＭＡＣ通信レイヤなど、より効率的なデータ交換通信レイヤ（ＵＤＰプロトコルの使用によって使用について有効となりうる）の使用を可能にする。
【００８４】
[0095]   図１０Ｃに関して図示される、データ交換効率技法の別の具体例では、ステップ１００３は、ステップ１００３ｅにおいて、通信のスケジューリングのために、本明細書で説明される動的スケジューリングではなく、半持続的なアップリンクスケジューリングの使用を含みうる。ステップ１００３におけるこのスケジューリング変更は、ＵＥ １２０ｘによって評価され、また、サービング基地局１１０ａとの通信リンクおよび／またはピアＵＥとの通信リンクの強度または品質の測定に基づいて、サービング基地局１１０ａとの通信および／またはピアＵＥにわたる通信に関するオーバーヘッドによって、指示されうる。半持続的なアップリンクスケジューリングは、マッチングされたエクスプレッションがより頻繁に変化する環境において非常に適している可能性がある。
【００８５】
[0096]   半持続的なアップリンクスケジューリングを使用する非限定的な例として、ＵＥ １２０ｘは、基地局１１０ａによって割り当てられたリソースブロックにおいてそのピア発見エクスプレッションを送信しうる。一実施形態では、このスケジューリングの指令が行われると、それは、修正されないか、または特定のセッション中には修正されない。したがって、フルトラフィックデータリンクのセットアップのための付帯的オーバーヘッドは、回避される。このような実施形態では、追加の電力節約など、さらなる効率は、結果としてスタンバイ時間を増加させるために、ＵＥが、いくつかの連続的な機会のための送信を控える、および／または控えることを指示される実施形態において、得られうる。ＵＥ １２０ｘはさらに、ステップ１００３ｆなどにおいて、ＵＥ １２０ｘが予め定められた数の送信機会を利用することを控える場合、ＵＥ１２０ｘのための半持続的アップリンクスケジュールをディコンストラクト（deconstruct）するように基地局１１０ａに知らせる。
【００８６】
[0097]   さらに、ステップ１００３ｇにおいて、ＵＥ １２０ｘは、インテグリティおよびリンクコンシステンシーの保証のためにＴＣＰプロトコルを使用する必要なしに生じうる通信誤りを考慮に入れるなどのために、ＵＥ １２０ｘと基地局１１０ｘとの間のピア発見通信について使用される半持続的アップリンクスケジューリングを修正しうる。例えば、ステップ１００３ｈにおいて、ＵＥ １２０ｘは、基地局がＵＥ １２０ｘへの伝搬遅延をそこから推定しうる、ＳＲＳ（本明細書で説明されるような）などの、誤りチェック信号を、基地局１１０ａへ送信しうる。基地局１１０ａは、基地局がＰ２Ｐ発見またはＰ２Ｐリンクを実現できるようにするために、ＵＥ １２０ｘのアップリンク送信が基地局１１０ａに要求された時間に到着することを保証するのには半持続的スケジュールの有効期間が（送信の抑制を含みうる）長すぎることを、そこから認識しうる。非限定的な例として、ＵＥ １２０ｘが毎秒３０メートル（６０ｍｐｈ）で移動しており、クロックが対応するドリフト０．２５ｐｐｍ（０．２５ｕｓ／ｓｅｃ）を有する場合、約１１秒後に、伝搬遅延は、アップリンクリソースブロックのサイクルを超える。このブレークダウンを避けるため、ＵＥ １２０ｘは、最悪の事態のモビリティ／クロックドリフト状況に対応するように、上述の例においては１１秒より短い期間でＳＲＳ信号を送信しうる。
【００８７】
[0098]   図１０Ｄに関して図示される、データ交換効率技法の別の具体的な例示では、ステップ１００３は、ステップ１００３ｉにおいて、アップリンク通信のための選択されたチャネルの使用を含みうる。ステップ１００３におけるこのチャネルの選択は、ＵＥ １２０ｘによって評価され、また、サービング基地局１１０ａとの通信リンクおよび／またはピアＵＥとの通信リンクの強度および／または品質の測定に基づいて、サービング基地局１１０ｘとの通信および／またはピアＵＥにわたる通信についてのオーバーヘッドによって、指示されうる。
【００８８】
[0099]   例えば、ステップ１００３ｊにおいて、ＵＥ １２０ｘは、ピア発見情報交換のための（より具体的には、基地局１１０ａへのピア発見情報の送信のための）、ランダムアクセスチャネル（ＲＡＣＨ）（例えば、ＬＴＥ規格によって定義されたＬＴＥ ＲＡＣＨ）を使用してアップリンク上で情報を送信し、および／またはその使用を指示しうる。この場合、ＵＥ １２０ｘは、ＵＥ １２０ｘが基地局１１０ａに専用アップリンクチャネルに関する要求を送信するのと同じ方法でピア発見情報を送信しうる。しかしながら、従来のＲＡＣＨプロトコルとは対照的に、ＵＥ １２０ｘが専用アップリンクチャネル要求を送信する代わりに、ＵＥ １２０ｘは、ＲＡＣＨ上で基地局１１０ａにピア発見情報を送信しうる。ＲＡＣＨの使用は、ＵＥ １２０ｘのエクスプレッションおよびロケーション情報の変化レートが比較的低いとき、例えば、ピア発見情報（例えば、エクスプレッション情報およびロケーション情報）が比較的静的であるときに、より適切でありうる。
【００８９】
[00100]   例えば、ＵＥ １２０ｘは、ＲＡＣＨを使用して基地局１１０ａにそのピア発見情報を送信しうる。ピア発見情報のデータサイズが小さいので（最大でも数百ビット程度）、専用のＬＴＥアップリンクチャネルは、基地局１１０ａへのその送信のためには必ずしも必要ではない。したがって、スケジューリング要求を送信し、またそれに続いて専用のＬＴＥアップリンクチャネル（多量のデータのアップリンクにより適している）を確立するために必要なオーバーヘッドを費やすことを余儀なくする代わりに、ＵＥ １２０ｘは、ＲＡＣＨを介してピア発見情報を効率的に送信しうる。
【００９０】
[00101]   図１１を参照すると、ワイヤレスネットワークにおけるネットワークエンティティ（例えば、基地局）として、またはネットワークエンティティ内で使用するためのプロセッサもしくは同様のデバイス／コンポーネントとして構成されうる例示的な装置１１００が提供される。装置１１００は、プロセッサ、ソフトウェア、またはその組み合わせによって実装される機能を表す機能ブロックを含みうる。例えば、装置１１００は、ピアを探索しているＵＥの第１のＵＥエクスプレッションおよび／または第１のＵＥロケーション情報を受信するための、電気的コンポーネントまたはモジュール１１０１（例えば、基地局１１０ａの受信機８４３）を含みうる。電気的コンポーネントまたはモジュール１１０１はまた、ピアのうちの少なくとも１つの、少なくとも１つの第２のＵＥエクスプレッションおよび／または少なくとも１つの第２のＵＥロケーションを受信しうる。装置１１００は、また、第１のおよび少なくとも第２のＵＥエクスプレッション、並びに第１のおよび少なくとも第２のＵＥロケーション情報にしたがって、ピアのうちＵＥに近接したピアをマッチングするための電気的コンポーネントまたはモジュール１１０５（例えば、ディレクトリエージェント１４０およびプロセッサ１９０）を含みうる。電気的コンポーネントまたはモジュール１１０７（例えば、基地局１１０ａの効率モジュール８５３）は、ピアの存在について、電気的コンポーネントまたはモジュール１１０８（例えば、基地局１１０ａの送信機８４５）を介して、ＵＥにアラートするためのデータ交換効率技法を選択するように構成され得、ここにおいて、送信は、ＷＡＮ固有のシグナリングを含む。装置１１００はまた、マッチングされたＵＥ間のＰ２Ｐ通信を生成するためのリソースの割当てを実行するために（例えば、基地局１１０ａの送信機８４５によって）、データ交換効率技法を使用する、電気的コンポーネントまたはモジュール１１０９（例えば、基地局１１０ａの通信モジュール８５７）を含みうる。電気的コンポーネントまたはモジュール１１０９（例えば、基地局１１０ａの通信モジュール８５７）はまた、データ交換効率技法を使用して、マッチングされたＵＥがＰ２Ｐ接続を生成するために以前に割り当てられたＰ２Ｐリソース使用することを指示しうる。
【００９１】
[00102]   データ交換効率技法の非限定的な例として、電気的コンポーネント１１０７は、基地局１１０ａとＵＥ １２０ｘおよび１２０ｙとの間のピア発見通信において、ＴＣＰ／ＩＰプロトコルではなく、上述されたＵＤＰプロトコルを使用しうる。さらに、電気的コンポーネント１１０７は、例えば、トランスポート、ＰＨＹ、またはＭＡＣレイヤにおけるような、現在の使用で一般的ではないＯＳＩレイヤにおいて、より効率的なデータ交換技法を使用しうる。さらに、電気的コンポーネント１１０７は、基地局１１０ａとＵＥ １２０ｘおよび１２０ｙとの間のピア発見通信について、半持続的スケジューリングを使用する（前述したＳＲＳのような誤りチェックサムを用いて、または用いずに）、改善されたデータ交換効率技法を使用しうる。さらに加えて、電気的コンポーネント１１０７は、ページングチャネル、すなわち、ＬＴＥ非トラフィックチャネルを使用しうる。当業者は、本明細書の開示を踏まえれば、基地局１１０ａと、ＵＥ １２０ｘおよび１２０ｙとの間の既知の相互作用は、電気的コンポーネント１１０１および／または電気的コンポーネント１１０８が前述の改善されたデータ交換効率技法のうちの１つまたは複数を使用することを同様に示しうることを理解するだろう。
【００９２】
[00103]   図１２を参照すると、ワイヤレスネットワークにおけるネットワークエンティティ（例えば、ＵＥ）として、またはネットワークエンティティ内で使用するためのプロセッサもしくは同様のデバイス／コンポーネントとして構成されうる例示的な装置１２００が提供される。装置１２００は、プロセッサ、ソフトウェア、または、それらの組み合わせ（例えば、ファームウェア）によって実現される機能を表す機能ブロックを含みうる。例えば、装置１２００は、基地局１１０ａに対して、ピアを探索しているＵＥ １２０ｘの第１のＵＥエクスプレッションおよび第１のＵＥロケーション情報（または第１のＵＥロケーション情報を含む第１のＵＥエクスプレッション）を送信するための、電気的コンポーネントまたはモジュール１２０１（例えば、ＵＥ １２０ｘの送信機８１４）を含みうる。装置はまた、データ交換効率を改善するために、本明細書で説明される技法にしたがって、電気的コンポーネントまたはモジュール１２０４（例えば、ＵＥ １２０ｘのセンシングモジュール８１６）からの指示に基づいてＰ２Ｐ通信を生じさせるような、ピアのうちのマッチングされたものに関連付けられた、ＷＡＮ固有のシグナリング（すなわち、データ交換効率の実行）のような、情報を受信するための電気的コンポーネントまたはモジュール１２０３（例えば、ＵＥ １２０ｘの受信機８１２）を含みうる。例えば、電気的コンポーネント１２０５（例えば、ＵＥ １２０ｘの効率モジュール８１７）は、ピア発見情報を受信または送信するために、本明細書で開示されたデータ交換効率技法から選択することができ、または選択するように指示されることができ、モジュール１２０４は、それに応じて、ＵＥ １２０ｘと任意のマッチングされたＵＥ（１２０ｙ）との間のＰ２Ｐ接続を生成するためにリソース情報を割り当てることができる。
【００９３】
[00104]   データ交換効率技法の非限定的な例として、電気的コンポーネント１２０５は、基地局１１０ａとＵＥ １２０ｘとの間のピア発見通信においてＵＤＰプロトコルの使用を指示しうる。さらに、電気的コンポーネント１２０５は、トランスポート、ＰＨＹ、またはＭＡＣレイヤにおいて、ＵＤＰのような、より効率的なデータ交換技法の使用を指示しうる。さらに、電気的コンポーネント１２０５は、基地局１１０ａとＵＥ １２０ｘとの間のピア発見通信について、半持続的スケジューリングを使用して（前述したＳＲＳのような誤りチェックサムを用いて、または用いずに）、改善されたデータ交換技法を採用しうる。さらに加えて、電気的コンポーネント１２０５は、異なる通信チャネル、すなわち、ＬＴＥ非トラフィックチャネルを使用しうる。当業者は、本明細書の開示を踏まえれば、基地局１１０ａとＵＥ １２０ｘとの間の既知の相互作用が、電気的コンポーネント１２０１がまた前述の改善されたデータ交換効率技法のうちの１つまたは複数を使用することを同様に示しうることを理解するだろう。
【００９４】
[00105]   関連した態様において、装置１１００および１２００は、プロセッサコンポーネント１９０および８２８をそれぞれオプションで含み得、それらは、バス１１５２および１２５２をそれぞれ介して、または同様の通信接続介して、それぞれコンポーネント１１０１−１１０９および１２０１−１２０６と動作可能に通信している。プロセッサ１９０および８２８は、電気的コンポーネント１１０１−１１０９および１２０１−１２０６によって実行される処理または機能の開始およびスケジューリングを実行しうる。
【００９５】
[00106]   関連する他の態様において、本明細書で説明される装置は、無線送信機／受信機コンポーネント８４５／８４３および８１４／８１２をそれぞれ含みうる。スタンドアロン受信機および／またはスタンドアロン送信機が、それぞれ送信機／受信機コンポーネント８４５／８４３および８１４／８１２の代わりに、またはそれらとともに、使用されうる。装置１１００および１２００がＵＥまたは同様のネットワークエンティティであるときには、その装置はまた、１つまたは複数のコアネットワークエンティティに接続するためのネットワークインターフェース（図示せず）を含みうる。これらの装置１１００および１２００の各々は、オプションで、例えば、メモリデバイス／コンポーネント１９２および８３０などの、情報を記憶するためのコンポーネントを含みうる。コンピュータ読取可能な媒体またはメモリコンポーネント１９２および８３０は、例えば、バス１１５２、１２５２などを介して、装置１１００および１２００の他のコンポーネントに動作可能に結合されうる。メモリコンポーネント１９２および８３０は、装置の各々において説明されたコンポーネント、およびそれらのサブコンポーネント、またはプロセッサ、または本明細書で開示された方法のプロセスおよび挙動を達成するためのコンピュータ読取可能な命令およびデータを記憶するように適合され得る。本明細書で説明されるメモリコンポーネントは、各装置の各コンポーネントに関連付けられた機能を実行するための命令を保持しうる。メモリコンポーネントの外側にあるように示されているが、コンポーネントの各々がそれぞれのメモリコンポーネント内に存在しうることが理解されるべきである。図１１−１２内のコンポーネントが、プロセッサ、電子デバイス、ハードウェアデバイス、電子サブコンポーネント、論理回路、メモリ、ソフトウェアコード、ファームウェアコードなど、あるいは、それらの任意の組み合わせを備えうることにさらに注意されたい。
【００９６】
[00107]   当業者は、情報および信号が、多種多様な技術および技法のいずれかを使用して表されうることを理解するだろう。例えば、上記説明の全体にわたって参照されうるデータ、命令、コマンド、情報、信号、ビット、シンボル、およびチップは、電圧、電流、電磁波、磁場または磁気粒子、光場または光粒子、またはこれらの任意の組み合わせによって表されうる。
【００９７】
[00108]   当業者はさらに、本明細書の開示に関連して説明述される様々な実例となる論理ブロック、モジュール、回路、およびアルゴリズムステップが電気的ハードウェア、コンピュータソフトウェアまたは両方の組み合わせとして実装されうることを理解するだろう。ハードウェアおよびソフトウェアの互換性を明確に例示するために、多様な例示的なコンポーネント、ブロック、モジュール、回路、およびステップが、一般にそれらの機能の観点から上記で説明されている。このような機能が、ハードウェアとして実装されるか、あるいはソフトウェアとして実装されるかは、特定のアプリケーションおよびシステム全体に課せられる設計制約に依存する。当業者は、各々の特定のアプリケーションに関して多様な方法で上記機能を実装しうるが、このような実装の決定は、本開示の範囲からの逸脱を引き起こすものと解釈されるべきでない。
【００９８】
[00109]    本明細書の開示に関連して説明されたさまざまな例示的な論理ブロック、モジュール、および回路は、本明細書で説明される機能を実行するように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、またはそれらの任意の組み合わせを用いて、実装または実行されうる。汎用プロセッサは、マイクロプロセッサでありうるが、代替において、このプロセッサは、任意の従来のプロセッサ、コントローラ、マイクロコントローラ、またはステートマシン（state machine）でありうる。プロセッサはまた、例えば、ＤＳＰとマイクロプロセッサの組み合わせ、複数のマイクロプロセッサ、ＤＳＰコアと連結した１つまたは複数のマイクロプロセッサ、あるいは任意のその他のこのような構成である、コンピューティングデバイスの組み合わせとして実装されうる。
【００９９】
[00110]   本明細書の開示に関連して説明された方法またはアルゴリズムのステップは、ハードウェアで直接的に、プロセッサによって実行されるソフトウェアモジュールで、または両者の組み合わせで具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当該技術分野において既知のその他任意の形状の記憶媒体内に存在しうる。プロセッサが記憶媒体から情報を読み取ったり、記憶媒体に情報を書き込んだりできるように、例示的な記憶媒体はプロセッサに接続されている。代替的に、記憶媒体は、プロセッサと一体化されうる。プロセッサおよび記憶媒体は、ＡＳＩＣ内に存在しうる。ＡＳＩＣは、ユーザ端末内に存在しうる。代替的に、プロセッサおよび記憶媒体は、ユーザ端末内のディスクリートコンポーネントとして存在しうる。
【０１００】
[00111]   １つまたは複数の例示的な設計において、説明された機能は、ハードウェア、ソフトウェア、ファームウェア、またはそれらの任意の組み合わせで実装されうる。ソフトウェアで実装される場合、機能は、コンピュータ読み取り可能な媒体上で１つまたは複数の命令またはコードとして、および好ましくは、非一時的なコンピュータ読み取り可能な媒体上で記憶または送信されうる。コンピュータ読み取り可能な媒体は、ある場所から別の場所へのコンピュータプログラムの転送を容易にする任意の媒体を含む通信媒体とコンピュータ記憶媒体との両方を含む。記憶媒体は、汎用または専用コンピュータによってアクセスされることができる任意の利用可能な媒体でありうる。一例として、また限定されないが、コンピュータ読み取り可能な媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形式において望まれるプログラムコード手段を記憶あるいは搬送するために使用されることができ、また、汎用または専用コンピュータ、または、汎用または専用プロセッサによってアクセスされることができる、任意の他の媒体も備えうる。また、任意の接続は、厳密にはコンピュータ読み取り可能な媒体と称されうる。例えば、ソフトウェアが、ウェブサイトから、サーバから、あるいは、同軸ケーブル、ファイバ光ケーブル、ツイストペア（twisted pair）、デジタル加入者線（ＤＳＬ）、または赤外線、無線、マイクロ波のようなワイヤレス技術を使用している他の遠隔ソースから送信された場合、同軸ケーブル、ファイバ光ケーブル、ツイストペア、ＤＳＬ、あるいは、赤外線、無線、マイクロ波のようなワイヤレス技術は、媒体の定義に含まれる。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ディスクは通常、磁気的にデータを再生するが、ディスクは通常、レーザーを用いて光学的にデータを再生する。上記の組み合わせもまた、コンピュータ読み取り可能な媒体の範囲内に含まれるべきである。
【０１０１】
[00112]   本開示の上述記載は、当業者が本開示を実施および使用することを可能にするために提供される。本開示に対する様々な修正が、当業者には容易に明らかであり、本明細書で定義された包括的な原理は、本開示の趣旨または範囲から逸脱することなく他の変形に適用されうる。よって、本開示は、本明細書で説明された例および設計に限定されることが意図されたものではなく、本明細書で開示された原理および新規の特徴と矛盾しない最大範囲であると認められるべきである。
以下に、出願当初の特許請求の範囲に記載された発明を付記する。
［Ｃ１］
ロングタームエボリューション（ＬＴＥ）ワイヤレス通信ネットワークにおいて情報を送信する方法であって、
ピアを探索しているユーザ機器（ＵＥ）の、第１のＵＥエクスプレッションおよび第１のＵＥロケーション情報を受信することと、
前記ピアのうちの少なくとも１つの、第２のＵＥエクスプレッションおよび第２のＵＥロケーション情報を受信することと、
前記第１および第２のＵＥエクスプレッションならびに前記第１および第２のＵＥロケーション情報にしたがって、前記ピアのうち前記ＵＥに近接したピアをマッチングすることと、
前記ピアの存在について前記ＵＥにアラートするためにデータ交換効率技法を使用して送信することと、ここにおいて、前記送信は、広域ネットワーク（ＷＡＮ）固有のシグナリングを含む、
を備える、方法。
［Ｃ２］
前記送信のための前記データ交換効率技法は、ページングチャネルを使用すること、および半持続的スケジューリングを使用することから成るグループから選択される、上記Ｃ１に記載の方法。
［Ｃ３］
前記ＷＡＮ固有のシグナリングは、ユーザデータグラムプロトコル（ＵＤＰ）プロトコルの使用を含む、上記Ｃ１に記載の方法。
［Ｃ４］
前記データ交換効率技法は、ブロードキャストチャネルを使用することを含む、上記Ｃ１に記載の方法。
［Ｃ５］
前記ＷＡＮ固有のシグナリングは、ＬＴＥ非トラフィックチャネルを含む、上記Ｃ１に記載の方法。
［Ｃ６］
ロングタームエボリューション（ＬＴＥ）ワイヤレス通信ネットワークにおいてピア発見情報を交換する方法であって、
データ交換効率技法を使用して、ピアを探索しているＵＥによって、第１のユーザ機器（ＵＥ）エクスプレッションおよび第１のＵＥロケーション情報を１番目に送信することと、ここにおいて、前記１番目に送信することは、広域ネットワーク（ＷＡＮ）固有のシグナリングを含む、
前記データ交換効率技法を使用して、前記ピアのうちの少なくとも１つの、第２のＵＥエクスプレッションの要求されたマッチングを、２番目に送信することと、ここにおいて、前記２番目に送信することは、前記広域ネットワーク（ＷＡＮ）固有のシグナリングを含む、
前記ピアの存在について前記ＵＥにアラートするために、前記要求に応答して、マッチングを受信すること
を備える、方法。
［Ｃ７］
前記データ交換効率技法は、ランダムアクセスチャネルを使用すること、および半持続的スケジューリングを使用することから成るグループから選択される、上記Ｃ６に記載の方法。
［Ｃ８］
前記半持続的スケジューリングは、周期的なサウンディング参照信号（ＳＲＳ）を用いた半持続的スケジューリングを含む、上記Ｃ７に記載の方法。
［Ｃ９］
前記ＷＡＮ固有のシグナリングは、ＵＤＰプロトコルの使用を含む、上記Ｃ６に記載の方法。
［Ｃ１０］
前記ＷＡＮ固有のシグナリングは、ＬＴＥ非トラフィックチャネルを含む、上記Ｃ６に記載の方法。
［Ｃ１１］
ロングタームエボリューション（ＬＴＥ）ワイヤレス通信ネットワークにおいてピア発見情報を送信するための基地局であって、
ピアを探索しているユーザ機器（ＵＥ）の、第１のＵＥエクスプレッションおよび第１のＵＥロケーション情報を受信するための手段と、
前記ピアのうちの少なくとも１つの、第２のＵＥエクスプレッションおよび第２のＵＥロケーション情報を受信するための手段と、
前記第１および第２のＵＥエクスプレッションならびに前記第１および第２のＵＥロケーション情報にしたがって、前記ピアのうち前記ＵＥに近接したピアをマッチングするための手段と、
前記ピアの存在について前記ＵＥにアラートするためにデータ交換効率技法を使用して送信するための手段と、ここにおいて、前記送信は、広域ネットワーク（ＷＡＮ）固有のシグナリングを含む、
を備える、基地局。
［Ｃ１２］
前記送信のための前記データ交換効率技法は、ページングチャネルを使用すること、および半持続的スケジューリングを使用することから成るグループから選択される、上記Ｃ１１に記載の基地局。
［Ｃ１３］
前記送信のための前記データ交換効率技法は、ブロードキャストチャネルを使用することを含む、上記Ｃ１１に記載の基地局。
［Ｃ１４］
前記ＷＡＮ固有のシグナリングは、ユーザデータグラムプロトコル（ＵＤＰ）プロトコルの使用を含む、上記Ｃ１１に記載の基地局。
［Ｃ１５］
前記ＷＡＮ固有のシグナリングは、メディアアクセス制御（ＭＡＣ）レイヤおよび下位レイヤシグナリングから成る、上記Ｃ１１に記載の基地局。
［Ｃ１６］
前記ＷＡＮ固有のシグナリングは、ＬＴＥ非トラフィックチャネルを含む、上記Ｃ１１に記載の基地局。
［Ｃ１７］
ロングタームエボリューション（ＬＴＥ）ワイヤレス通信ネットワークにおいてピア発見情報を交換するためのユーザ機器（ＵＥ）であって、
データ交換効率技法を使用して、ピアを探索している前記ＵＥによって、第１のユーザ機器（ＵＥ）エクスプレッションおよび第１のＵＥロケーション情報を１番目に送信するための手段と、ここにおいて、前記１番目に送信することは、広域ネットワーク（ＷＡＮ）固有のシグナリングを含む、
前記データ交換効率技法を使用して、前記ピアのうちの少なくとも１つの、第２のＵＥエクスプレッションの要求されたマッチングを、２番目に送信するための手段と、ここにおいて、前記２番目に送信することは、前記ＷＡＮ固有のシグナリングを含む、
前記ピアの存在について前記ＵＥにアラートするために、前記要求に応答して、マッチングを受信するための手段と
を備える、ＵＥ。
［Ｃ１８］
前記１番目に送信することおよび前記２番目に送信することのための前記データ交換効率技法は、ランダムアクセスチャネルを使用すること、および半持続的スケジューリングを使用することから成るグループから選択される、上記Ｃ１７に記載のＵＥ。
［Ｃ１９］
前記半持続的スケジューリングは、周期的なサウンディング参照信号（ＳＲＳ）を用いた半持続的スケジューリングを含む、上記Ｃ１８に記載のＵＥ。
［Ｃ２０］
前記ＷＡＮ固有のシグナリングは、ユーザデータグラムプロトコル（ＵＤＰ）プロトコルの使用を含む、上記Ｃ１７に記載のＵＥ。
［Ｃ２１］
前記ＷＡＮ固有のシグナリングは、メディアアクセス制御（ＭＡＣ）レイヤおよび下位レイヤシグナリングから成る、上記Ｃ１７に記載のＵＥ。
［Ｃ２２］
前記ＷＡＮ固有のシグナリングは、ＬＴＥ非トラフィックチャネルを含む、上記Ｃ１７に記載のＵＥ。
［Ｃ２３］
コンピュータプログラム製品であって、
ワイヤレスネットワークにおいて基地局に関連付けられた非一時的なコンピュータ読み取り可能媒体を備え、前記非一時的なコンピュータ読み取り可能媒体は、
前記基地局に関連付けられた少なくとも１つのプロセッサに、ピアを探索しているユーザ機器（ＵＥ）の、第１のＵＥエクスプレッションおよび第１のＵＥロケーション情報を受信させるためのコードと、
前記少なくとも１つのプロセッサに、前記ピアのうちの少なくとも１つの、第２のＵＥエクスプレッションおよび第２のＵＥロケーション情報を受信させるためのコードと、
前記少なくとも１つのプロセッサに、前記第１および第２のＵＥエクスプレッションならびに前記第１および第２のＵＥロケーション情報にしたがって、前記ピアのうち前記ＵＥに近接したピアをマッチングさせるためのコードと、
前記少なくとも１つのプロセッサに、前記ピアの存在について前記ＵＥにアラートするためにデータ交換効率技法を使用させるためのコードと、ここにおいて、前記送信は、広域ネットワーク（ＷＡＮ）固有のシグナリングを含む、
を備える、コンピュータプログラム製品。
［Ｃ２４］
前記送信のための前記データ交換効率技法は、ページングチャネルを使用すること、および半持続的スケジューリングを使用することから成るグループから選択される、上記Ｃ２３に記載のコンピュータプログラム製品。
［Ｃ２５］
前記データ交換効率技法は、ブロードキャストチャネルを使用することを含む、上記Ｃ２３に記載のコンピュータプログラム製品。
［Ｃ２６］
前記ＷＡＮ固有のシグナリングは、ユーザデータグラムプロトコル（ＵＤＰ）プロトコルの使用を含む、上記Ｃ２３に記載のコンピュータプログラム製品。
［Ｃ２７］
前記ＷＡＮ固有のシグナリングは、メディアアクセス制御（ＭＡＣ）レイヤおよび下位レイヤシグナリングから成る、上記Ｃ２３に記載のコンピュータプログラム製品。
［Ｃ２８］
前記ＷＡＮ固有のシグナリングは、ロングタームエボリューション（ＬＴＥ）非トラフィックチャネルを含む、上記Ｃ２３に記載のコンピュータプログラム製品。
［Ｃ２９］
コンピュータプログラム製品であって、
ワイヤレスネットワークにおいてユーザ機器（ＵＥ）に関連付けられた非一時的なコンピュータ読み取り可能媒体を備え、前記非一時的なコンピュータ読み取り可能媒体は、
前記ＵＥに関連付けられた少なくとも１つのプロセッサに、データ交換効率技法を使用して、ピアを探索している前記ＵＥによって、第１のユーザ機器（ＵＥ）エクスプレッションおよび第１のＵＥロケーション情報を送信させるためのコードと、ここにおいて、前記送信は、広域ネットワーク（ＷＡＮ）固有のシグナリングを含む、
前記少なくとも１つのプロセッサに、前記データ交換効率技法を使用して、前記ピアのうちの少なくとも１つの、少なくとも１つの第２のＵＥエクスプレッションおよび少なくとも１つの第２のＵＥロケーション情報の要求されたマッチングを送信させるためのコードと、ここにおいて、前記送信は、広域ネットワーク（ＷＡＮ）固有のシグナリングを含む、
前記ピアの存在について前記ＵＥにアラートするために、前記要求に応答して、前記少なくとも１つのプロセッサに、マッチングを受信させるためのコードと
を備える、コンピュータプログラム製品。
［Ｃ３０］
前記受信のための前記データ交換効率技法は、ランダムアクセスチャネルを使用すること、および半持続的スケジューリングを使用することから成るグループから選択される、上記Ｃ２９に記載のコンピュータプログラム製品。
［Ｃ３１］
前記半持続的スケジューリングは、周期的なサウンディング参照信号（ＳＲＳ）を用いた半持続的スケジューリングを含む、上記Ｃ３０に記載のコンピュータプログラム製品。
［Ｃ３２］
前記ＷＡＮ固有のシグナリングは、ユーザデータグラムプロトコル（ＵＤＰ）プロトコルの使用を含む、上記Ｃ２９に記載のコンピュータプログラム製品。
［Ｃ３３］
前記ＷＡＮ固有のシグナリングは、メディアアクセス制御（ＭＡＣ）レイヤおよび下位レイヤシグナリングから成る、上記Ｃ２９に記載のコンピュータプログラム製品。
［Ｃ３４］
前記ＷＡＮ固有のシグナリングは、ロングタームエボリューション（ＬＴＥ）非トラフィックチャネルを含む、上記Ｃ２９に記載のコンピュータプログラム製品。
［Ｃ３５］
ロングタームエボリューション（ＬＴＥ）ワイヤレス通信ネットワークにおいてピア発見情報を送信するための基地局であって、
ピアを探索しているユーザ機器（ＵＥ）の、第１のＵＥエクスプレッションおよび第１のＵＥロケーション情報を受信するように構成された受信機と、
ここで、前記受信機は、前記ピアのうちの少なくとも１つの、第２のＵＥエクスプレッションおよび第２のＵＥロケーション情報を受信するようにさらに構成され、
前記第１および第２のＵＥエクスプレッションならびに前記第１および第２のＵＥロケーション情報にしたがって、前記ピアのうち前記ＵＥに近接したピアをマッチングするように構成された少なくとも１つのプロセッサと、
前記ピアの存在について前記ＵＥにアラートするためにデータ交換効率技法を使用して送信するように構成された送信機と、ここにおいて、前記送信は、広域ネットワーク（ＷＡＮ）固有のシグナリングを含む、
を備える、基地局。
［Ｃ３６］
前記送信のための前記データ交換効率技法は、ページングチャネルを使用すること、および半持続的スケジューリングを使用することから成るグループから選択される、上記Ｃ３５に記載の基地局。
［Ｃ３７］
前記ＷＡＮ固有のシグナリングは、ユーザデータグラムプロトコル（ＵＤＰ）プロトコルの使用を含む、上記Ｃ３５に記載の基地局。
［Ｃ３８］
前記送信のための前記データ交換効率技法は、ブロードキャストチャネルを使用することを含む、上記Ｃ３５に記載の基地局。
［Ｃ３９］
前記ＷＡＮ固有のシグナリングは、ＭＡＣレイヤおよび下位レイヤシグナリングから成る、上記Ｃ３５に記載の基地局。
［Ｃ４０］
前記ＷＡＮ固有のシグナリングは、ＬＴＥ非トラフィックチャネルを含む、上記Ｃ３５に記載の基地局。
［Ｃ４１］
ロングタームエボリューション（ＬＴＥ）ワイヤレス通信ネットワークにおいてピア発見情報を交換するためのユーザ機器（ＵＥ）であって、
データ交換効率技法を使用して、ピアを探索している前記ＵＥによって、第１のユーザ機器（ＵＥ）エクスプレッションおよび第１のＵＥロケーション情報を送信するように構成された送信機と、ここにおいて、前記送信は、広域ネットワーク（ＷＡＮ）固有のシグナリングを含む、
前記ピアのうちの少なくとも１つの、第２のＵＥエクスプレッションおよび第２のＵＥロケーション情報の要求されたマッチングを生成するように構成されたプロセッサと、ここにおいて、前記生成は、前記ＷＡＮ固有のシグナリングを含む、
前記ピアの存在について前記ＵＥにアラートするために、前記要求に応答して、マッチングを受信するように構成された受信機と
を備える、ＵＥ。
［Ｃ４２］
前記送信および生成のための前記データ交換効率技法は、ランダムアクセスチャネルを使用すること、および半持続的スケジューリングを使用することから成るグループから選択される、上記Ｃ４１に記載のＵＥ。
［Ｃ４３］
前記半持続的スケジューリングは、周期的なサウンディング参照信号（ＳＲＳ）を用いた半持続的スケジューリングを含む、上記Ｃ４２に記載のＵＥ。
［Ｃ４４］
前記ＷＡＮ固有のシグナリングは、ユーザデータグラムプロトコル（ＵＤＰ）プロトコルの使用を含む、上記Ｃ４１に記載のＵＥ。
［Ｃ４５］
前記ＷＡＮ固有のシグナリングは、メディアアクセス制御（ＭＡＣ）レイヤおよび下位レイヤシグナリングから成る、上記Ｃ４１に記載のＵＥ。
［Ｃ４６］
前記ＷＡＮ固有のシグナリングは、ＬＴＥ非トラフィックチャネルを含む、上記Ｃ４１に記載のＵＥ。
【図１】
0006352260.tif 000002
【図２】
0006352260.tif 000003
【図３】
0006352260.tif 000004
【図４】
0006352260.tif 000005
【図５】
0006352260.tif 000006
【図６Ａ】
0006352260.tif 000007
【図６Ｂ】
0006352260.tif 000008
【図７】
0006352260.tif 000009
【図８Ａ】
0006352260.tif 000010
【図８Ｂ】
0006352260.tif 000011
【図９Ａ】
0006352260.tif 000012
【図９Ｂ】
0006352260.tif 000013
【図９Ｃ】
0006352260.tif 000014
【図９Ｄ】
0006352260.tif 000015
【図１０Ａ】
0006352260.tif 000016
【図１０Ｂ】
0006352260.tif 000017
【図１０Ｃ】
0006352260.tif 000018
【図１０Ｄ】
0006352260.tif 000019
【図１１】
0006352260.tif 000020
【図１２】
0006352260.tif 000021